(57)【要約】【課題】特定の領域に存在するユーザに対して的確に緊急情報を提供する。【解決手段】第１通信装置１８の第１無線部は、領域Ｐ内に位置する無線端末２６に、緊急情報を第１周波数で送信する。第２通信装置２０の第２無線部は、領域Ｐ内に位置する無線端末２６との間で、緊急情報とは異なる第１情報を該第１周波数とは異なる第２周波数で送受信する。【選択図】図１
2013187554.tif 000002
【特許請求の範囲】
【請求項１】
速報装置と、無線端末と、第１通信装置と、第２通信装置と、を備えた無線システムであって、
前記速報装置は、
緊急速報を外部装置から受信する第１通信部と、
受信した前記緊急速報に基づいて、特定の領域に送信するための緊急情報を作成する作成部と、
前記緊急情報を前記第１通信装置へ送信する第２通信部と、を備え、
前記第１通信装置は、
前記速報装置から前記緊急情報を受信する第３通信部と、
前記領域内に位置する前記無線端末に、前記緊急情報を第１周波数で送信する第１無線部と、を備え、
前記第２通信装置は、
前記領域内に位置する前記無線端末との間で、前記緊急情報とは異なる第１情報を前記第１周波数とは異なる第２周波数で送受信する第２無線部を備え、
前記無線端末は、
無線通信の周波数を切替える切替部と、
無線通信の周波数が前記第１周波数に切替えられているときに前記緊急情報を該第１周波数で前記第１通信装置から受信し、無線通信の周波数が前記第２周波数に切替えられているときに、前記第２通信装置との間で前記第１情報を該第２周波数で送受信する第３無線部と、
受信された前記緊急情報を出力する第１出力部と、を備える、
無線システム。
【請求項２】
前記第１通信装置は、
前記第２通信装置が前記無線端末へ前記第１情報を送信中であることを判定する判定部と、
前記第２通信装置が前記無線端末へ前記第１情報を送信中であることが判定されたときに、通信遮断指示を示す信号を前記第２通信装置へ送信する制御を行う第１通信制御部と、
を更に備え、
前記第２通信装置は、
前記第１情報を前記無線端末へ送信する送信中に前記第１通信装置から前記通信遮断指示を示す信号を受信したときに、前記無線端末との無線通信を遮断する制御を行う第２通信制御部と、
を更に備える、
請求項１に記載の無線システム。
【請求項３】
ユーザから、前記無線端末に送信する前記第１情報の入力を受け付ける第２入力部と、
前記第２通信装置から出力情報を受信する第７通信部と、
受信した該出力情報を出力する第２出力部と、
を備えた入出力装置を更に備え、
前記第１通信装置は、
前記第２通信装置が前記無線端末へ前記第１情報を送信中であることを判定する判定部と、
前記第２通信装置が前記無線端末へ前記第１情報を送信中であることが判定されたときに、通信遮断要求の出力指示を前記第２通信装置へ送信する制御を行う第１通信制御部と、
を更に備え、
前記第２通信装置は、
前記第１情報を前記無線端末へ送信する送信中に前記第１通信装置から前記通信遮断要求の出力指示を受信したときに、該通信遮断要求の出力指示を前記出力情報として前記入出力装置へ送信する制御を行う第２通信制御部と、
を更に備えた、
請求項１に記載の無線システム。
【請求項４】
前記緊急情報、及び該緊急情報と前記第１情報とを重畳する重畳指示を少なくとも含む第１指示を受信したときに、前記入出力装置から受信した前記第１情報と該第１指示に含まれる前記緊急情報とを重畳した第１重畳情報を、前記第２通信装置へ送信する重畳装置を更に備え、
前記第１通信装置は、
前記第２通信装置が前記無線端末へ前記第１情報を送信中であることを判定する判定部と、
前記第２通信装置が前記無線端末へ前記第１情報を送信中であることが判定されたときに、前記第１指示を前記重畳装置へ送信する制御を行う第１通信制御部と、
を更に備え、
前記第２通信装置は、
前記第１情報を前記無線端末へ送信する送信中に前記重畳装置から前記第１重畳情報を受信したときに、該第１重畳情報を前記第１情報として前記無線端末へ送信する制御を行う第２通信制御部と、
を更に備え、
前記無線端末の前記第３無線部は、無線通信の周波数が前記第２周波数に切替えられているときに、前記第２通信装置から前記第１重畳情報を受信し、
前記無線端末の前記第１出力部は、受信された前記第１重畳情報に含まれる前記緊急情報及び前記第１情報を出力する、
請求項１に記載の無線システム。
【請求項５】
前記第１重畳情報は、前記第１情報に含まれる高周波成分を除去する指示を示す除去指示信号を更に含み、
前記第２通信装置の前記第２通信制御部は、
前記第１情報を前記無線端末へ送信する送信中に前記重畳装置から前記第１重畳情報を受信したときに、該第１重畳情報に含まれる前記第１情報における高周波数成分を除去した前記第１重畳情報を前記第１情報として前記無線端末へ送信する制御を行う、
請求項４に記載の無線システム。
【請求項６】
前記第１重畳情報は、前記第１情報の出力レベルの低下指示を示す低下指示信号と、の少なくとも一方を更に含み、
前記第２通信装置の前記第２通信制御部は、
前記第１情報を前記無線端末へ送信する送信中に前記重畳装置から前記第１重畳情報を受信したときに、前記該第１重畳情報に含まれる前記第１情報の出力レベルを低下させた前記第１重畳情報を前記第１情報として前記無線端末へ送信する制御を行う、
請求項４または請求項５に記載の無線システム。
【請求項７】
送信の禁止を示す送信禁止信号の重畳と前記第１情報とを重畳する重畳指示を少なくとも含む第２指示を受信したときに、前記入出力装置から受信した前記第１情報と該第２指示に含まれる前記送信禁止信号とを重畳した第２重畳情報を、前記第２通信装置へ送信する重畳装置を更に備え、
前記第１通信装置は、
前記第２通信装置が前記無線端末へ前記第１情報を送信中であることを判定する判定部と、
前記第２通信装置が前記無線端末へ前記第１情報を送信中であることが判定されたときに、前記第２指示を前記重畳装置へ送信する制御を行う第１通信制御部と、
を更に備え、
前記第２通信装置は、
前記第１情報を前記無線端末へ送信する送信中に前記重畳装置から前記第２重畳情報を受信したときに、該第２重畳情報を前記第１情報として前記無線端末へ送信する制御を行う第２通信制御部と、
を更に備え、
前記無線端末は、
無線通信の周波数が前記第２周波数に切替えられているときに、前記第２通信装置から前記第２重畳情報を受信したときに、送信を禁止する、
請求項１に記載の無線システム。
【請求項８】
緊急速報に応じて作成された特定の領域に送信するための緊急情報を、速報装置から受信する第３通信部と、
前記領域内に位置する無線端末に、前記緊急情報を第１周波数で送信する第１無線部と、
前記領域内に位置する前記無線端末との間で、前記緊急情報とは異なる第１情報を前記第１周波数とは異なる第２周波数で送受信する第２通信装置と通信する第４通信部と、
前記第２通信装置が前記無線端末へ前記第１情報を送信中であることを判定する判定部と、
前記第２通信装置が前記無線端末へ前記第１情報を送信中であることが判定されたときに、通信遮断指示を示す信号を前記第２通信装置へ送信する制御を行う第１通信制御部と、
を備えた通信装置。
【発明の詳細な説明】
【技術分野】
【０００１】
本発明は、無線システム、及び通信装置に関する。
【背景技術】
【０００２】
特定の領域に各種情報を提供するシステムが知られている。例えば、特許文献１には、緊急地震速報を報知するエリアの携帯電話等の端末が通話中である場合に、回線を切断する旨のメッセージを送信した後に端末間の通話回線を強制的に切断し、緊急地震速報を送信することが開示されている。また、特許文献２には、基地局から移動局への下り制御チャネルに緊急情報を送出するための一斉通信用の制御チャネルを設けて、無線電話に一斉送信することが開示されている。
【先行技術文献】
【特許文献】
【０００３】
【特許文献１】特開２００９−９４８２６号公報
【特許文献２】特開平７−５８６８９号公報
【発明の概要】
【発明が解決しようとする課題】
【０００４】
しかしながら、上記従来技術では、回線の混線等によってユーザに対して緊急情報を提供することが困難な場合があり、災害発生時等の緊急時に、特定の領域に存在するユーザに対して的確に緊急情報を提供することは困難であった。
【０００５】
本発明は、上記に鑑みてなされたものであって、特定の領域に存在するユーザに対して的確に緊急情報を提供することができる、無線システム、及び通信装置を提供することを主な目的とする。
【課題を解決するための手段】
【０００６】
本発明の無線システムは、速報装置と、無線端末と、第１通信装置と、第２通信装置と、を備えた無線システムである。前記速報装置は、第１通信部と、作成部と、第２通信部と、を備える。第１通信部は、緊急速報を外部装置から受信する。作成部は、受信した前記緊急速報に基づいて、特定の領域に送信するための緊急情報を作成する。第２通信部は、前記緊急情報を前記第１通信装置へ送信する。前記第１通信装置は、第３通信部と、第１無線部と、を備える。第３通信部は、前記速報装置から前記緊急情報を受信する。前記第１無線部は、前記領域内に位置する前記無線端末に、前記緊急情報を第１周波数で送信する。前記第２通信装置は、前記領域内に位置する前記無線端末との間で、前記緊急情報とは異なる第１情報を前記第１周波数とは異なる第２周波数で送受信する第２無線部を備える。前記無線端末は、切替部と、第３無線部と、第１出力部と、を備える。切替部は、無線通信の周波数を切替える。第３無線部は、無線通信の周波数が前記第１周波数に切替えられているときに前記緊急情報を該第１周波数で前記第１通信装置から受信し、無線通信の周波数が前記第２周波数に切替えられているときに、前記第２通信装置との間で前記第１情報を該第２周波数で送受信する。第１出力部は、受信された前記緊急情報を出力する。
【０００７】
本発明の第１通信装置は、第３通信部と、第１無線部と、第４通信部と、判定部と、第１通信制御部と、を備える。第３通信部は、緊急速報に応じて作成された特定の領域に送信するための緊急情報を、速報装置から受信する。第１無線部は、前記領域内に位置する無線端末に、前記緊急情報を第１周波数で送信する。第４通信部は、前記領域内に位置する前記無線端末との間で、前記緊急情報とは異なる第１情報を前記第１周波数とは異なる第２周波数で送受信する第２通信装置と通信する。判定部は、前記第２通信装置が前記無線端末へ前記第１情報を送信中であることを判定する。第１通信制御部は、前記第２通信装置が前記無線端末へ前記第１情報を送信中であることが判定されたときに、通信遮断指示を示す信号を前記第２通信装置へ送信する制御を行う。
【発明の効果】
【０００８】
本発明によれば、特定の領域に存在するユーザに対して的確に緊急情報を提供することができる、という効果を奏する。
【図面の簡単な説明】
【０００９】
【図１】図１は、実施の形態１の無線システムの構成を示す模式図である。
【図２】図２は、実施の形態１の速報装置を示す機能ブロック図である。
【図３】図３は、実施の形態１の第１通信装置の機能ブロック図である。
【図４】図４は、実施の形態１の第２通信装置及び入出力装置の機能ブロック図である。
【図５】図５は、実施の形態１の無線端末の外観を示す模式図である。
【図６】図６は、実施の形態１の無線端末の機能ブロック図である。
【図７】図７は、実施の形態１の速報装置が実行する緊急情報作成処理の手順を示すフローチャートである。
【図８】図８は、実施の形態１の第１通信装置で実行する緊急速報処理の手順を示すフローチャートである。
【図９】図９は、実施の形態１の第２通信装置が行う緊急処理の手順を示すフローチャートである。
【図１０】図１０は、実施の形態１の第２通信装置が緊急処理を実行しているときに行う割り込み処理の手順を示すフローチャートである。
【図１１】図１１は、実施の形態１の無線端末が実行する緊急処理の手順を示すフローチャートである。
【図１２】図１２は、実施の形態１の第１通信装置で実行する緊急速報処理の他の手順を示すフローチャートである。
【図１３】図１３は、実施の形態１の第２通信装置が実行する割り込み処理の他の手順を示すフローチャートである。
【図１４】図１４は、実施の形態２の無線システムを示す模式図である。
【図１５】図１５は、実施の形態２の第１通信装置の機能ブロック図である。
【図１６】図１６は、実施の形態２の第２通信装置の機能ブロック図である。
【図１７】図１７は、実施の形態２の第１通信装置で実行する緊急速報処理の手順を示すフローチャートである。
【図１８】図１８は、実施の形態２の重畳装置が実行する重畳処理の手順を示すフローチャートである。
【図１９】図１９は、実施の形態２の第２通信装置が行う緊急処理の手順を示すフローチャートである。
【図２０】図２０は、実施の形態３の無線システムを示す模式図である。
【図２１】図２１は、実施の形態３の第１通信装置の機能ブロック図である。
【図２２】図２２は、実施の形態３の第２通信装置の機能ブロック図である。
【図２３】図２３は、実施の形態３の無線端末の機能ブロック図である。
【図２４】図２４は、実施の形態３の第１通信装置で実行する緊急速報処理の手順を示すフローチャートである。
【図２５】図２５は、実施の形態３の重畳装置が実行する重畳処理の手順を示すフローチャートである。
【図２６】図２６は、実施の形態３の第２通信装置が行う緊急処理の手順を示すフローチャートである。
【図２７】図２７は、実施の形態３の無線端末が実行する緊急処理の手順を示すフローチャートである。
【発明を実施するための形態】
【００１０】
以下に添付図面を参照して、本実施形態にかかる無線システム及び無線端末の実施の形態を詳細に説明する。
【００１１】
（実施の形態１）
図１は、本実施の形態の無線システム１０の構成を示す模式図である。
【００１２】
図１に示すように、無線システム１０は、災害情報提供装置１２、速報装置１６、第１通信装置１８、第２通信装置２０、及び無線端末２６を備える。
【００１３】
災害情報提供装置１２と速報装置１６とは、ネットワーク１４を介して接続されている。ネットワーク１４は、公知の通信回線である。ネットワーク１４は、有線通信網であっても無線通信網であってもよい。ネットワーク１４は、例えば、ＬＡＮ（Ｌｏｃａｌ  Ａｒｅａ  Ｎｅｔｗｏｒｋ）を用い、Ｅｔｈｅｒｎｅｔ（登録商標）やＴＣＰ／ＩＰなどの通信プロトコルを利用する。ネットワーク１４は、例えば、インターネットであり、ＥｔｈｅｒｎｅｔやＴＣＰ／ＩＰなどの通信プロトコルを利用する。
【００１４】
速報装置１６と第１通信装置１８とは有線接続されている。また、第１通信装置１８と第２通信装置２０とは、有線接続されている。例えば、速報装置１６と第１通信装置１８、及び第１通信装置１８と第２通信装置２０は、ＲＳ−２３２Ｃ等のインターフェースケーブル等により有線接続されている。なお、速報装置１６と第１通信装置１８、及び第１通信装置１８と第２通信装置２０は、ネットワークを介して接続されていてもよい。また、速報装置１６と第１通信装置１８、及び第１通信装置１８と第２通信装置２０は、ネットワークとしての有線通信網や無線通信網を介して接続されていてもよい。
【００１５】
第１通信装置１８と無線端末２６とは、特定の周波数である第１周波数で無線通信する。また、第２通信装置２０と無線端末２６とは、第１周波数とは異なる第２周波数で無線通信する。第１周波数は、無線端末２６による無線通信で使用可能な予め定められた周波数帯域内の特定の周波数であればよい。また、第２周波数は、第１周波数とは異なる周波数であって、且つ、無線端末２６による無線通信で使用可能な予め定められた周波数帯域内の特定の周波数であればよい。なお、無線端末２６間では、第１周波数及び第２周波数とは異なる第３周波数で無線通信する。この第３周波数は、第１周波数及び第２周波数とは異なる周波数であり、無線端末２６による無線通信で使用可能な予め定められた周波数帯域内の特定の周波数であればよい。
【００１６】
災害情報提供装置１２は、第１通信装置１８及び第２通信装置２０の無線通信領域である予め定められた領域（図１中、領域Ｐ参照）を少なくとも含む領域に対する、災害に関する緊急速報を提供する装置である。緊急速報には、地震の揺れの予報情報（震源、地震の規模の推定結果）や、水害や雷等の気象の予測情報がある。災害情報提供装置１２には、例えば、気象情報配信サービスを実行する公知のサーバーや、緊急地震速報配信サービスを実行する公知のサーバーが挙げられる。
【００１７】
速報装置１６は、災害情報提供装置１２から緊急速報を受信し、該緊急速報に応じて、予め定めた領域Ｐに送信する緊急情報を生成する。すなわち、速報装置１６は、受信した緊急速報に基づいて、領域Ｐ内に提供するための緊急情報を生成する。領域Ｐは、第１通信装置１８のアンテナ１８Ｅが送受信可能な通信範囲である。領域Ｐは、例えば、第１通信装置１８を中心とした半径１２ｋｍ程度の円状の領域である。領域Ｐは、複数の領域Ｑを含み、速報装置１６、第１通信装置１８、第２通信装置２０は例えば、複数のイベント会場（領域Ｑ）を統括する役所などに設置される。
【００１８】
緊急情報は、領域Ｐにおける災害の規模の予測情報や災害の発生時刻の予測情報等である。さらに詳細には、緊急情報は、例えば、地震の主要動が領域Ｐに到達する到達予測時刻や、領域Ｐにおける地震の規模や、領域Ｐにおける雷の発生時刻や、領域Ｐにおける雷の規模、領域Ｐにおける水害の規模、領域Ｐへの水の到達予測時刻、等を含む情報である。速報装置１６は、災害情報提供装置１２から受信した緊急速報に基づいて、公知の算出方法を用いて緊急情報を生成する。
【００１９】
第１通信装置１８は、領域Ｐ内に位置する無線端末２６と、第１周波数で無線通信する。第１通信装置１８は、速報装置１６で生成された緊急情報を受け付け、該緊急情報を、第１周波数で領域Ｐ内に位置する各無線端末２６へ無線通信により送信する。また、第１通信装置１８は、第２通信装置２０に有線接続されており、後述する各種情報を送受信する。
【００２０】
第２通信装置２０は、領域Ｐ内に位置する無線端末２６と、第２周波数で無線通信する。第２通信装置２０は、緊急情報以外の情報である第１情報を、領域Ｐ内に位置する各無線端末２６と、第２周波数の無線通信により送信または受信する。また、第２通信装置２０は、第１通信装置１８との間で各種情報を送受信する。
【００２１】
すなわち、本実施の形態の無線システム１０では、緊急速報に基づいて作成された緊急情報を無線端末２６へ送信するための第１通信装置１８と、緊急情報以外の第１情報を無線端末２６との間で送受信するための第２通信装置２０と、が設けられている。このように、本実施の形態の無線システム１０では、緊急速報を無線端末２６へ送信するための通信装置と、緊急速報以外の情報である第１情報を無線端末２６へ送信または受信するための通信装置と、が別体として設けられている。このため、本実施の形態の無線システム１０では、領域Ｐ内に位置する各無線端末２６へ、緊急情報を的確に送信可能な構成となっている。
【００２２】
入出力装置２１は、第２通信装置２０が領域Ｐ内の無線端末２６へ第１情報を送信するときに、ユーザによって操作される。詳細は後述するが、例えば、ユーザが入出力装置２１を介して第２通信装置２０へ第１情報を送信することで、該第１情報が第２通信装置２０を介して領域Ｐ内の無線端末２６へ送信される。第２通信装置２０は例えば、ビルの屋上に配置される。入出力装置２１は、例えば、ビル内のオフィスに配置される。第２通信装置２０と入出力装置２１は、例えば、電話線で接続される。第１情報の例は、典型的には、音声情報である。ユーザは入出力装置２１を用いて、音声情報を送信する。
【００２３】
なお、本実施の形態では、第１情報は、入出力装置２１から第２通信装置２０を介して各無線端末２６へ送信される場合を説明するが、第２通信装置２０に予め第１情報を記憶し、該予め記憶されている該第１情報を該第２通信装置２０から無線端末２６へ送信してもよい。
【００２４】
なお、第２通信装置２０は、入出力装置２１と一体的に構成されていてもよい。
【００２５】
無線端末２６は、第１通信装置１８及び第２通信装置２０の各々と無線通信可能な無線端末である。上述したように、無線端末２６は、第１周波数で第１通信装置１８と無線通信し、第２周波数で第２通信装置２０と無線通信する。また、無線端末２６は、無線端末２６間において第３周波数で無線通信する。すなわち、無線端末２６は、領域Ｐ内において使用される無線端末である。無線端末２６には、ユーザによって携帯される携帯型のものや、設置して用いる設置型のものがある。無線端末２６は、予め設定しておいた第３周波数で、他の無線端末２６と通信を行う。
【００２６】
次に、無線システム１０における各装置の構成を説明する。
【００２７】
図２は、速報装置１６を示す機能ブロック図である。図２に示すように、速報装置１６は、第１通信部１６Ａ、第２通信部１６Ｂ、記憶部１６Ｃ、及び制御部１６Ｄを備える。
【００２８】
第１通信部１６Ａは、ネットワーク１４を介して災害情報提供装置１２と通信するための通信インターフェースである。本実施の形態では、第１通信部１６Ａは、災害情報提供装置１２（外部装置）から緊急速報を受信する。第２通信部１６Ｂは、第１通信装置１８と通信するための通信インターフェースである。本実施の形態では、第２通信部１６Ｂは、第１通信装置１８に緊急情報を送信する。
【００２９】
記憶部１６Ｃは、書き換え可能個体メモリ等の記憶媒体であり、災害情報提供装置１２から受信した緊急速報に基づいて、上記緊急情報を算出するためのプログラムや、各種データ等を記憶する。
【００３０】
制御部１６Ｄは、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、速報装置１６全体を制御する。制御部１６Ｄは、作成部１６Ｅ及び通信制御部１６Ｆを備える。作成部１６Ｅは、災害情報提供装置１２から第１通信部１６Ａを介して受け付けた緊急速報から、緊急情報を作成する。なお、作成部１６Ｅは、緊急情報を作成するためのプログラムを記憶部１６Ｃから読み取り、緊急速報から緊急情報を作成する。
【００３１】
地震速報を例とすると、記憶部１６Ｃには、自装置の位置情報を記憶している。災害情報提供装置１２は、第１通信部１６Ａは、気象庁の情報配信センターから情報配信データを受け取る。作成部１６Ｅは、記憶している自装置の位置情報と、情報配信データに基づき、第１通信装置の送信エリアである領域Ｐ内に影響がありそうな地震の場合、予測震度情報、到達時間情報を算出し、緊急情報として作成する。作成部１６Ｅは、第１通信装置の送信エリア内に影響がありそうな地震かどうかは、例えば震度４以上の地震が予測されるか否かによって判定する。
【００３２】
通信制御部１６Ｆは、災害情報提供装置１２及び第１通信装置１８の各々との通信を制御する。通信制御部１６Ｆは、作成部１６Ｅで作成された緊急情報を、第１通信装置１８へ送信する制御を行う。
【００３３】
図３は、第１通信装置１８の機能ブロック図である。図３に示すように、第１通信装置１８は、第３通信部１８Ａ、制御部１８Ｂ、記憶部１８Ｃ、第１無線部１８Ｄ、アンテナ１８Ｅ、及び第４通信部１８Ｈを備える。
【００３４】
第３通信部１８Ａは、速報装置１６と通信するための通信インターフェースである。第３通信部１８Ａは、速報装置１６から緊急情報を受信する。記憶部１８Ｃは、各種情報や、速報装置１６で行う各処理を実行するためのプログラム等を記憶する。
【００３５】
第４通信部１８Ｈは、第２通信装置２０との間で各種情報を送受信する。本実施の形態では、第４通信部１８Ｈは、第２通信装置２０が無線端末２６へ第１情報を送信中であるか、または第２通信装置２０が無線端末２６から第１情報を受信中であるか、または、第２通信装置２０が送信も受信もしていない遮断中であるか、といった通信状態を示す信号を第２通信装置２０から受け付ける。
【００３６】
第１無線部１８Ｄは、アンテナ１８Ｅを介して領域Ｐ内の無線端末２６と第１周波数で無線通信する。本実施の形態では、第１無線部１８Ｄは、速報装置１６から受信した緊急情報を、第１周波数で、アンテナ１８Ｅを介して領域Ｐ内の無線端末２６へ送信する。
【００３７】
なお、アンテナ１８Ｅには、無線端末２６に設けられたアンテナ（詳細後述）より利得（ゲイン）の高いアンテナを用いる。なお、第２通信装置２０についても同様である（詳細後述）。このため、図１に示すように、各無線端末２６間で無線通信する場合には、領域Ｐより狭い領域Ｑ内で無線通信することとなる。一方、各無線端末２６が第１通信装置１８や後述する第２通信装置２０と無線通信可能な領域Ｐは、領域Ｑより広い領域となる。
【００３８】
制御部１８Ｂは、ＣＰＵ、ＲＯＭ、及びＲＡＭなどを含んで構成されるコンピュータであり、第１通信装置１８全体を制御する。制御部１８Ｂは、判定部１８Ｆ、及び第１通信制御部１８Ｇを備える。判定部１８Ｆは、第２通信装置２０と無線端末２６との通信状態を判定する。具体的には、判定部１８Ｆは、第２通信装置２０が無線端末２６へ第１情報を送信中であるか、該無線端末２６から第１情報を受信中であるか、または、第２通信装置２０が送信も受信もしていない遮断中であるか、を判定する。
【００３９】
判定部１８Ｆは、例えば、通信状態を問い合わせる問い合わせ信号を第１通信装置１８へ送信し、第１通信装置１８から受信した通信状態を示す情報を確認することで、判定してもよい。また、判定部１８Ｆは、第２通信装置２０に記憶されている第２通信装置２０の通信状態を示す情報を読み取ることで、第２通信装置２０と無線端末２６との通信状態を判定してもよい。
【００４０】
第１通信制御部１８Ｇは、判定部１８Ｆによって第２通信装置２０が無線端末２６へ第１情報を送信中であることが判定されたときに、通信遮断指示を示す信号を第２通信装置２０へ送信する制御を行う。
【００４１】
図４は、第２通信装置２０及び入出力装置２１の機能ブロック図である。図４に示すように、第２通信装置２０は、第５通信部２０Ａ、制御部２０Ｂ、記憶部２０Ｃ、第２無線部２０Ｄ、アンテナ２０Ｅ、及び第６通信部２０Ｆを備える。
【００４２】
第２無線部２０Ｄは、アンテナ２０Ｅを介して領域Ｐ内の無線端末２６と無線通信する。詳細には、第２無線部２０Ｄは、領域Ｐ内に位置する無線端末２６との間で、アンテナ２０Ｅを介して第１情報を送信または受信する。
【００４３】
なお、アンテナ２０Ｅには、無線端末２６に設けられたアンテナ（詳細後述）より利得（ゲイン）の高いアンテナを用いる。また。第２通信装置２０の無線可能な範囲と、第１通信装置１８の無線可能な範囲は同じ領域Ｐである。このため、アンテナ２０Ｅには、第１通信装置１８に設けられたアンテナ１８Ｅと同じ利得のアンテナを用いる。
【００４４】
第５通信部２０Ａは、第１通信装置１８と通信するための通信インターフェースである。記憶部２０Ｃは、各種情報や、第２通信装置２０で行う各処理を実行するためのプログラム等を記憶する。制御部２０Ｂは、ＣＰＵ、ＲＯＭ、及びＲＡＭなどを含んで構成されるコンピュータであり、第２通信装置２０全体を制御する。本実施の形態では、制御部２０Ｂは、第２通信装置２０Ｇを含む。第２通信制御部２０Ｇは、第１情報を無線端末２６へ送信する送信中に、第１通信装置１８から通信遮断指示を示す信号を受信したときに、無線端末２６との無線通信を遮断する制御を行う。
【００４５】
記憶部２０Ｃは、書き換え可能個体メモリ等の記憶媒体であり、第２通信装置２０で用いる各種プログラムや、各種データ等を記憶する。第６通信部２０Ｆは、各種情報を第２通信装置２０と入出力装置２１との間で送受信するインターフェースである。本実施の形態では、第６通信部２０Ｆは、入出力装置２１から第１情報を受信する。
【００４６】
入出力装置２１は、第２通信装置２０に接続されている。入出力装置２１は、第２通信装置２０から各無線端末２６へ送信する第１情報を入力するための装置である。
【００４７】
入出力装置２１は、第２入力部２１Ａ、第２出力部２１Ｂ、第３通信制御部２１Ｃ、及び第７通信部２１Ｄを備える。
【００４８】
第２入力部２１Ａは、ユーザから、無線端末２６へ送信する第１情報を受け付ける。第２入力部２１Ａには、例えば、公知のマイク等がある。第７通信部２１Ｄは、第２入力部２１Ａで受け付けた第１情報を第２通信装置２０へ送信すると共に、第２通信装置２０から各種情報を受信する。第２出力部２１Ｂは、第２通信装置２０から受信した情報を出力する装置であり、公知の表示装置や音声出力装置や、これらを組み合わせたものが挙げられる。第３通信制御部２１Ｃは、入出力装置２１と第２通信装置２０との各種情報の送受信を制御する。
【００４９】
なお、入出力装置２１は、第２入力部２１Ａ及び第２出力部２１Ｂが、第２通信装置２０の第２通信制御部２０Ｇに直接、電気的に接続された構成であってもよい。
【００５０】
図１に戻り、本実施の形態では、速報装置１６、第１通信装置１８、第２通信装置２０、及び入出力装置２１は、同一の建物２８内に配置されている場合を説明する。
【００５１】
次に、無線端末２６について説明する。
【００５２】
図５は、無線端末２６の外観を示す模式図である。図５に示すように、無線端末２６の無線端末本体３０の形状は、略立方体形状となっている。なお、無線端末本体３０の形状は、立方体形状に限られない。また、図５には、ユーザによって携帯される携帯型の無線端末２６を示した。具体的には、図５には、無線端末２６が、ユーザの手（図５中、手Ｕ参照）のよって保持されている状態を示した。しかし、無線端末２６は、設置した状態で使用される設置型であってもよく、ユーザによって携帯される携帯型に限られない。
【００５３】
無線端末本体３０には、アンテナ４１が設けられている。無線端末２６は、アンテナ４１を介して、第１通信装置１８及び第２通信装置２０や、他の無線端末２６と無線通信を行う。
【００５４】
無線端末本体３０の一面には、音声出力部３２（第１出力部）、表示部３６、操作部３８、及び音声入力部４２が設けられている。なお、これらは、同一面に配置された構成に限られない。
【００５５】
音声出力部３２は、アンテナ４１を介して第１通信装置１８から受信した緊急情報の音声や、他の無線端末２６から受信した音声情報の音声や、第２通信装置２０から受信した第１情報の音声等を出力する。なお、他の無線端末２６から受信する音声情報についても、第１情報と称してもよい。表示部３６は、各種情報を表示する。本実施の形態では、アンテナ４１を介して第１通信装置１８から受信した情報（詳細後述、この情報も第１情報に含まれる）を、文字情報として表示する。
【００５６】
音声入力部４２は、ユーザの声等の音声情報を入力する。本実施の形態では、音声入力部４２は、第２通信装置２０へ送信する第１情報としての音声情報や、他の無線端末２６との間で送受信する音声情報等の入力を、ユーザから受け付ける。音声入力部４２には、公知のマイク等を用いる。
【００５７】
操作部３８は、ユーザから各種情報の入力を受け付ける。本実施の形態では、操作部３８は、無線通信に用いる周波数の変更指示をユーザから受け付けるための操作ボタンである。なお、本実施の形態では、無線端末２６は、予め定めた少なくとも３種類のチャンネルを用意しており、各チャンネルに、第１周波数、第２周波数、及び第３周波数を割り当てている。そして、ユーザによって操作部３８が操作指示されることで、第１周波数に対応するチャンネル、第２周波数に対応するチャンネル、第３周波数に対応するチャンネルの切り替えが可能な構成となっている。なお、操作部３８の操作指示によって、これらの３種類の周波数以外の周波数が選択されてもよい。
【００５８】
また、無線端末本体３０の側面（表示部３６や音声出力部３２の設けられた面に連続する他の面）には、ＰＴＴボタン３９が設けられている。なお、ＰＴＴボタン３９は、無線端末本体３０がユーザによって把持された状態において、ユーザの手（図５中、手Ｕ参照）の一部によって接する可能性の高い領域に設けられている事が好ましい。
【００５９】
ＰＴＴボタン３９は、無線端末２６から各種情報を発信するときに、ユーザによって操作されるボタンである。ユーザがＰＴＴボタン３９を操作することで、ＰＴＴ信号が無線端末２６の後述する制御部４６に送信される。ＰＴＴ信号は、送信開始を示す制御信号である。なお、ＰＴＴボタン３９は、ユーザによって操作指示される形状であればよく、ボタン状の構造に限られない。
【００６０】
図６は、無線端末２６の機能ブロック図である。
【００６１】
図６に示すように、無線端末２６は、表示部３６、操作部３８、操作部４０、音声入力部４２、記憶部４４、制御部４６、第３無線部４８、及びアンテナ４１を備える。なお、無線端末２６は、表示部３６を備えない構成であってもよい。
【００６２】
記憶部４４は、各種情報を記憶する。記憶部４４は、書き換え可能個体メモリの記憶媒体であり、各種処理を実行するためのプログラムや、各種データ等を記憶する。また、本実施の形態では、上述したように、無線端末２６は、予め定めた少なくとも３種類のチャンネルを用意しており、各チャンネルに、第１周波数、第２周波数、及び第３周波数を割り当てている。そして、各チャンネルを示す情報に対応する周波数を、記憶部４４に記憶している。例えば、記憶部４４は、チャンネル５０に対応づけて第１周波数を記憶し、チャンネル６０に対応づけて第２周波数を記憶し、チャンネル１に対応づけて第３周波数を記憶する。なお、システムに中継器を用いる場合は、各チャンネルに対応付けて、送信周波数と受信周波数とを記憶しても良い。
【００６３】
第３無線部４８は、アンテナ４１を介して領域Ｐ内の無線端末２６と無線通信する。また、第３無線部４８は、アンテナ４１を介して、第１通信装置１８または第２通信装置２０と無線通信する。詳細には、第３無線部４８は、無線通信の周波数が第１周波数に切替えられているときに、緊急情報を該第１周波数で第１通信装置１８から受信する。
【００６４】
また、第３無線部４８は、無線通信の周波数が第２周波数に切替えられて、ＰＴＴボタン３９が押されているときに、音声入力部４２で受け付けた情報を該第２周波数で第２通信装置２０へ送信する。第３無線部４８は、無線通信の周波数が第２周波数に切替えられて、ＰＴＴボタン３９が押されていないときには、第２通信装置２０から送信された情報を第２周波数で待ち受ける受信待ち受け状態となる。これらの周波数の切り替えは、後述する切替部４５で行う。また、第３無線部４８は、無線通信の周波数が第２周波数に切替えられて、ＰＴＴボタン３９が押されているときに、音声入力部４２で受け付けた情報を該第２周波数で第２通信装置２０へ送信する。第３無線部４８は、無線通信の周波数が第２周波数に切替えられて、ＰＴＴボタン３９が押されていないときには、第２通信装置２０から送信された情報を第２周波数で待ち受ける受信待ち受け状態となる。
【００６５】
ここで、上述したように、無線端末２６に設けられているアンテナ４１は、第１通信装置１８及び第２通信装置２０に比べて低利得のアンテナである。このため、各無線端末２６は、より高利得なアンテナ（アンテナ１８Ｅ、アンテナ２０Ｅ）を備えた第１通信装置１８や第２通信装置２０の無線通信領域である領域Ｐ内では、無線端末２６は、これらの第１通信装置１８や第２通信装置２０と無線通信可能である。一方、各無線端末２６同士の無線通信は、領域Ｐ内における、領域Ｐより狭い範囲の領域Ｑ内で行われることとなる。
【００６６】
制御部４６は、ＣＰＵ、ＲＯＭ、及びＲＡＭなどを含んで構成されるコンピュータであり、無線端末２６全体を制御する。制御部４６は、切替部４５及び通信制御部４７を備える。
【００６７】
切替部４５は、無線通信の周波数を切替える。本実施の形態では、切替部４５は、第１周波数、第２周波数、または第３周波数の間で周波数の切り替えを行う。切替部４５は、通信制御部４７によって、周波数の切り替えを制御される。なお、切替部４５は、これらの３種類の周波数以外の周波数への切り替えの可能な構成であってもよい。
【００６８】
通信制御部４７は、第１通信装置１８、第２通信装置２０、及び他の無線端末２６の各々との通信を制御する。また、通信制御部４７は、切替部４５の周波数の切り替えを制御する。
【００６９】
次に、速報装置１６が実行する緊急情報作成処理について説明する。
【００７０】
図７は、速報装置１６が実行する緊急情報作成処理の手順を示すフローチャートである。速報装置１６では、図７に示す処理を繰り返し実行する。
【００７１】
まず、制御部１６Ｄが、災害情報提供装置１２から緊急速報を受信したか否かを判断する（ステップＳ１）。ステップＳ１で否定判断すると（ステップＳ１：Ｎｏ）、本ルーチンを終了する。
【００７２】
一方、ステップＳ１で肯定判断すると（ステップＳ１：Ｙｅｓ）、ステップＳ２へ進む。ステップＳ２では、作成部１６Ｅが、ステップＳ１で受信した緊急速報に基づいて、緊急情報を作成する（ステップＳ２）。次に、通信制御部１６Ｆが、アラート信号を第１通信装置１８へ送信する（ステップＳ３）。アラート信号とは、緊急情報をこれから送信することを示す警告信号である。アラート信号には、警告や確認や注意を促すメッセージが含まれる。なお、アラート信号（ステップＳ３）は省略される場合もある。
【００７３】
次に、通信制御部１６Ｆが、ＰＴＴ信号、及びステップＳ２で作成した緊急情報を第１通信装置１８へ送信し（ステップＳ４）、本ルーチンを終了する。
【００７４】
次に、第１通信装置１８で実行する緊急速報処理について説明する。
【００７５】
図８は、第１通信装置１８で実行する緊急速報処理の手順を示すフローチャートである。第１通信装置１８では、所定時間毎に図８に示す緊急速報処理を繰り返し実行する。
【００７６】
まず、第１通信制御部１８Ｇが、第３通信部１８Ａを介して緊急情報及びＰＴＴ信号を速報装置１６から受信したか否かを判断する（ステップＳ１００）。ステップＳ１００で否定判断すると（ステップＳ１００：Ｎｏ）、本ルーチンを終了する。
【００７７】
一方、ステップＳ１００で肯定判断すると（ステップＳ１００：Ｙｅｓ）、ステップＳ１０２へ進む。ステップＳ１０２では、判定部１８Ｆが第２通信装置２０と無線端末２６との通信状態を確認する（ステップＳ１０２）。例えば、判定部１８Ｆは、第２通信装置２０へ通信状態確認要求を送信し、第２通信装置２０から受信した通信状態を示す信号を判別することで、通信状態を確認する。なお、判定部１８Ｆは、第２通信装置２０に格納されている通信状態を示す情報を読み取ることで通信状態を確認してもよい。この通信状態には、第２通信装置２０から無線端末２６へ第１情報を送信中であることを示す「送信中」、無線端末２６から第１情報を受信中であることを示す「受信中」、無線端末２６と第２通信装置２０とが無線通信を遮断した状態であることを示す「遮断中」がある。
【００７８】
次に、判定部１８Ｆが、上記ステップＳ１０２の通信状態確認結果が、第２通信装置２０から無線端末２６への第１情報の「送信中」であるか否かを判断する（ステップＳ１０４）。ステップＳ１０４で肯定判断し（ステップＳ１０４：Ｙｅｓ）、通信状態が送信中である場合には、ステップＳ１０６へ進む。
【００７９】
次に、第１通信制御部１８Ｇが、通信遮断指示を示す信号を第２通信装置２０へ送信する（ステップＳ１０６）。ステップＳ１０６の処理によって、第２通信装置２０は、無線端末２６への第１情報の送信を遮断する。
【００８０】
次に、第１通信制御部１８Ｇが、上記ステップＳ１００で受信した、緊急情報を無線端末２６へ送信する送信処理を開始する（ステップＳ１０８）。
【００８１】
次に、第１通信制御部１８Ｇは、速報装置１６からＰＴＴ信号を受け付けつけている間、否定判断を繰り返し（ステップＳ１１０：Ｎｏ）、肯定判断すると（ステップＳ１１０：Ｙｅｓ）、ステップＳ１１２へ進む。ステップＳ１１０の処理によって、ステップＳ１００で速報装置１６から受信した緊急情報が、速報装置１６からＰＴＴ信号を受信している期間、第１通信装置１８から領域Ｐ内の無線端末２６へ送信される。
【００８２】
ステップＳ１１２では、第１通信制御部１８Ｇが、無線端末２６への緊急情報の送信を終了し、本ルーチンを終了する。
【００８３】
一方、上記ステップＳ１０４で否定判断した場合（ステップＳ１０４：Ｎｏ）、ステップＳ１１４へ進む。ステップＳ１１４では、第１通信制御部１８Ｇが、第２通信装置２０が無線端末２６から第１情報を受信中であるか否かを判断する（ステップＳ１１４）。ステップＳ１１４で否定判断すると（ステップＳ１１４：Ｎｏ）、第２通信装置２０と無線端末２６とは無線通信を遮断した状態であることから、上記ステップＳ１０８へ進む。
【００８４】
一方、ステップＳ１１４で肯定判断すると（ステップＳ１１４：Ｙｅｓ）、ステップＳ１１６へ進む。ステップＳ１１６では、第１通信制御部１８Ｇが、上記ステップＳ１００で受信した、緊急情報を無線端末２６へ送信する送信処理を開始する（ステップＳ１１６）。
【００８５】
ステップＳ１１８では、第１通信制御部１８Ｇが、送信禁止状態指示を第２通信装置２０へ送信する（ステップＳ１１８）。送信禁止状態指示は、第２通信装置２０から無線端末２６への第１情報の送信を禁止した状態とすることを指示する信号である。詳細は、後述するが、該送信禁止状態指示を受信した第２通信装置２０では、第２通信装置２０から無線端末２６への第１情報の送信を禁止した状態となる。
【００８６】
次に、第１通信制御部１８Ｇは、速報装置１６からＰＴＴ信号を受け付けつけている間、否定判断を繰り返し（ステップＳ１２０：Ｎｏ）、肯定判断すると（ステップＳ１２０：Ｙｅｓ）、ステップＳ１２２へ進む。ステップＳ１２０の処理によって、ステップＳ１１６で速報装置１６から受信した緊急情報が、速報装置１６からＰＴＴ信号を受信している期間、第１通信装置１８から領域Ｐ内の無線端末２６へ送信される。
【００８７】
ステップＳ１１２では、第１通信制御部１８Ｇが、無線端末２６への緊急情報の送信を終了する。次に、ステップＳ１２４では、通信禁止状態の解除指示を第２通信装置２０へ送信する（ステップＳ１２４）。そして、本ルーチンを終了する。
【００８８】
第１通信装置１８が上記緊急速報処理を実行することで、第２通信装置２０から無線端末２６へ第１情報を送信中である場合には、第１通信装置１８から第２通信装置２０へ通信遮断指示を送信し、第１通信装置１８は緊急情報の無線端末２６への送信を開始する。
【００８９】
一方、第２通信装置２０が無線端末２６から第１情報を受信中である場合には、第１通信装置１８から無線端末２６への緊急情報の送信を開始し、送信中となったときに、通信遮断指示を第２通信装置２０へ送信する。
【００９０】
次に、第２通信装置２０が行う緊急速報処理について説明する。
【００９１】
図９は、本実施の形態の第２通信装置２０が行う緊急処理の手順を示すフローチャートである。
【００９２】
まず、第２通信装置２０の図示を省略する電源スイッチがユーザによって操作指示されることで、第２通信装置２０の装置各部に電力が供給されると、第２通信装置２０では、所定時間毎に図９に示す緊急処理を繰り返し実行する。
【００９３】
まず、第２通信制御部２０Ｇが、入出力装置２１から第１情報の送信指示を受信したか否かを判断する（ステップＳ２００）。ステップＳ２００の判断は、入出力装置２１から第１情報を受信したか否かを判断することで行う。ステップＳ２００で肯定判断すると（ステップＳ２００：Ｙｅｓ）、ステップＳ２０２へ進む。
【００９４】
そして、第２通信制御部２０Ｇは、無線端末２６との通信状態について「送信中」であることを示す情報を記憶部２０Ｃに記憶することで、通信状態を送信中に切替える（ステップＳ２０２）。次に、第２通信制御部２０Ｇが、入出力装置２１から受信した第１情報を無線端末２６へ送信する送信を開始する（ステップＳ２０４）。
【００９５】
次に、第２通信制御部２０Ｇは、送信が終了したと判断するまで否定判断を繰り返し（ステップＳ２０６：Ｎｏ）、肯定判断すると（ステップＳ２０６：Ｙｅｓ）、ステップＳ２０８へ進む。ステップＳ２０６の判断は、例えば、入出力装置２１からの第１情報の受信が終了したか否かを判別することで行う。
【００９６】
ステップＳ２０６で肯定判断すると（ステップＳ２０６：Ｙｅｓ）、ステップＳ２０８へ進む。ステップＳ２０８では、第２通信制御部２０Ｇが、第２通信装置２０から無線端末２６への第１情報の送信を遮断する（ステップＳ２０８）。そして、第２通信制御部２０Ｇは、第２通信装置２０と無線端末２６との通信状態が「遮断中」であることを示す情報を記憶部２０Ｃに記憶することで、通信状態を遮断中に切替える（ステップＳ２１０）。そして、本ルーチンを終了する。
【００９７】
一方、上記ステップＳ２００で否定判断（ステップＳ２００：Ｎｏ）すると、ステップＳ２１２へ進む。ステップＳ２１２では、第２通信制御部２０Ｇが、第２通信装置２０が無線端末２６から第１情報を受信中であるか否かを判断する（ステップＳ２１２）。ステップＳ２１２で否定判断すると（ステップＳ２１２：Ｎｏ）、本ルーチンを終了する。一方、ステップＳ２１２で肯定判断すると（ステップＳ２１２：Ｙｅｓ）、ステップＳ２１４へ進む。
【００９８】
ステップＳ２１４では、第２通信制御部２０Ｇが、通信状態を受信中に切替える（ステップＳ２１４）。また、第２通信制御部２０Ｇは、第２通信装置２０と無線端末２６との通信状態が「受信中」であることを示す情報を記憶部２０Ｃに記憶する。次に、第２通信制御部２０Ｇは、通信中の無線端末２６との無線通信が遮断されたと判断するまで、否定判断を繰り返す（ステップＳ２１６：Ｎｏ）。そして、ステップＳ２１６で肯定判断すると（ステップＳ２１６：Ｙｅｓ）、本ルーチンを終了する。
【００９９】
次に、第２通信装置２０で実行する割り込み処理を説明する。図１０は、第２通信装置２０が図９に示す緊急処理を実行しているときに、所定時間毎に行う割り込み処理の手順を示すフローチャートである。
【０１００】
まず、第２通信制御部２０Ｇは、第１通信装置１８から通信状態確認要求を受信したか否かを判断する（ステップＳ２５０）。ステップＳ２５０で否定判断すると（ステップＳ２５０：Ｎｏ）、本ルーチンを終了する。一方、ステップＳ２５０で肯定判断すると（ステップＳ２５０：Ｙｅｓ）、ステップＳ２５２へ進む。
【０１０１】
ステップＳ２５２では、第２通信装置２０から無線端末２６へ第１情報を「送信中」であるか否かを判断する（ステップＳ２５２）。ステップＳ２５２の判断は、例えば、記憶部２０Ｃに記憶されている通信状態を示す情報が「送信中」であるか否かを判別することで行う。
【０１０２】
ステップＳ２５２で肯定判断すると（ステップＳ２５２：Ｙｅｓ）、ステップＳ２５４へ進み、通信状態が第１情報の「送信中」であることを示す信号を第１通信装置１８へ送信する（ステップＳ２５４）。
【０１０３】
次に、第２通信制御部２０Ｇは、第１通信装置１８から通信遮断指示を受信するまで否定判断を繰り返し（ステップＳ２５６：Ｎｏ）、肯定判断すると（ステップＳ２５６：Ｙｅｓ）、ステップＳ２５８へ進む。ステップＳ２５８では、第２通信制御部２０Ｇが、無線端末２６への第１情報の送信を遮断し（ステップＳ２５８）、遮断中であることを示す情報を記憶部２０Ｃに記憶した後に、本ルーチンを終了する。
【０１０４】
一方、上記ステップＳ２５２で否定判断すると（ステップＳ２５２：Ｎｏ）、ステップＳ２６０へ進む。ステップＳ２６０では、第２通信制御部２０Ｇが、無線端末２６から第１情報を受信中であるか否かを判断する（ステップＳ２６０）。ステップＳ２６０で肯定判断すると（ステップＳ２６０：Ｙｅｓ）、ステップＳ２６２へ進む。
【０１０５】
次に、第２通信制御部２０Ｇは、第１通信装置１８から通信禁止状態指示を受信するまで否定判断を繰り返す（ステップＳ２６４：Ｎｏ）。そして、ステップＳ２６４で肯定判断すると（ステップＳ２６４：Ｙｅｓ）、ステップＳ２６６へ進む。そして、第２通信制御部２０Ｇは、第２通信装置２０から無線端末２６への第１情報の送信を行わない送信禁止状態とする（ステップＳ２６６）。ステップＳ２６６の処理によって、第２通信装置２０は、無線端末２６への第１情報の送信を行わない状態となる。このため、入出力装置２１から第１情報を受信した場合であっても、この送信禁止状態においては、第１情報の無線端末２６への送信を行わない。
【０１０６】
次に、第２通信制御部２０Ｇは、第２通信装置２０から送信禁止状態の解除指示を受信するまで、否定判断を繰り返す（ステップＳ２６８：Ｎｏ）。ステップＳ２６８で肯定判断すると（ステップＳ２６８：Ｙｅｓ）、ステップＳ２７０へ進む。ステップＳ２７０において、第２通信制御部２０Ｇは、通信禁止状態を解除し（ステップＳ２７０）、本ルーチンを終了する。
【０１０７】
一方、上記ステップＳ２６０で否定判断すると（ステップＳ２６０：Ｎｏ）、ステップＳ２６４へ進む。ステップＳ２６４では、第２通信制御部２０Ｇが、無線端末２６との通信状態が遮断中であることを示す情報を第１通信装置１８へ送信し（ステップＳ２６４）、本ルーチンを終了する。
【０１０８】
第２通信装置２０が上記緊急速報処理を実行することによって、第２通信装置２０から無線端末２６へ第１情報が送信されている送信中に、第２通信装置２０が第１通信装置１８から通信状態遮断指示を受信した場合には、第２通信装置２０は、無線端末２６への第１情報の送信を遮断する。
【０１０９】
次に、無線端末２６が実行する緊急速報処理について説明する。
【０１１０】
図１１は、無線端末２６が実行する緊急処理の手順を示すフローチャートである。
【０１１１】
まず、無線端末２６の図示を省略する電源スイッチがユーザによって操作指示されることで、無線端末２６の装置各部に電力が供給されると、無線端末２６では、初期設定として、無線通信に用いる周波数を第３周波数（他の無線端末２６と無線通信するときに用いる周波数）に設定した後に、ステップＳ３００へ進む。
【０１１２】
ステップＳ３００では、通信制御部４７が、チャンネルスキャンを実行する制御を行う（ステップＳ３００）。ステップＳ３００では、通信制御部４７が、無線通信する周波数を、第１周波数、第２周波数、第３周波数との間で順次切り替えるように切替部４５を制御する。
【０１１３】
次に、制御部４６が、上記ステップＳ３００の処理によって切替えられた各周波数で、アンテナ４１を介して第３無線部４８で第１通信装置１８から周波数情報、呼び出し符号を受信したか否かを判断する（ステップＳ３０２）。呼び出し符号の具体例は、無線端末２６および第１通信装置１８、第２通信装置２０に個別に対応付けれる個別ＩＤおよび所定のグループに対応付けられるグループＩＤである。ステップＳ３０２の判断は、第１周波数で無線通信したときに呼び出し符号を受け付けたときに、呼び出し符号に含まれる送信元の第１通信装置１８の個別ＩＤを判別することで行う。なお、ステップＳ３０２の判断は、呼び出し符号を受信したときに切替部４５で設定されていた周波数が、第１周波数であるか否かを判別することで行ってもよい。
【０１１４】
ステップＳ３０２で肯定判断すると（ステップＳ３０２：Ｙｅｓ）、ステップＳ３０４へ進み、チャンネルスキャンを停止する（ステップＳ３０４）。これによって、無線端末２６は、第１通信装置１８と無線通信するための第１周波数で無線通信を開始する。
【０１１５】
次に、無線端末２６の制御部４６が、第１通信装置１８からアラート信号を受信したか否かを判断する（ステップＳ３０６）。そして、切替部４５は、第１通信装置１８からアラート信号を受信するまで否定判断を繰り返し（ステップＳ３０６：Ｎｏ）、アラート信号を受信すると肯定判断する（ステップＳ３０６：Ｙｅｓ）。
【０１１６】
次に、無線端末２６の制御部４６が、ステップＳ３０６で受信したアラート信号によって示される警告情報を、表示部３６へ表示する（ステップＳ３０８）。ステップＳ３０８の処理によって、緊急情報の受信前に、警告情報を表示部３６へ表示することができる。
【０１１７】
表示部３６で表示される警告情報の具体例は、「地震発生」等のテキストデータである。警告情報は、一度表示したら、一定時間表示し続ける。なお、無線端末２６はアラート信号の表示を、行わなくとも良い。また、例えば無線端末２６に表示部がない場合などは、ステップＳ３０６および、ステップＳ３０８は省略されてもよい。
【０１１８】
次に、無線端末２６の制御部４６が、第１通信装置１８から緊急情報を受信したか否かを判断する（ステップＳ３１０）。ステップＳ３１０で否定判断すると（ステップＳ３１０：Ｎｏ）、上記ステップＳ３０８へ戻る。一方、ステップＳ３１０で肯定判断すると（ステップＳ３１０：Ｙｅｓ）、ステップＳ３１２へ進む。
【０１１９】
次に、無線端末２６の制御部４６が、ステップＳ３１０で受信した緊急情報を音声出力部３２に出力する（ステップＳ３１２）。
【０１２０】
ステップＳ３１２の処理によって、第１通信装置１８から送信された緊急情報が、領域Ｐ内に位置する無線端末２６に音声で出力される。無線端末２６で音声出力される緊急情報の具体例は予測震度情報である「予測震度は震度４です」や到達時間情報である「４０秒後に到達予想です」などである。
【０１２１】
一方、上記ステップＳ３０２で否定判断すると（ステップＳ３０２：Ｎｏ）、ステップＳ３１４へ進む。そして、制御部４６が、上記ステップＳ３００の処理によって切替えられた各周波数で、アンテナ４１を介して第３無線部４８で第２通信装置２０から周波数情報、呼び出し符号を受信したか否かを判断する（ステップＳ３１４）。ステップＳ３１４の判断は、第２周波数で無線通信したときに、呼び出し符号に含まれる送信元の第２通信装置２０の個別ＩＤを判別することで行う。なお、ステップＳ３１４の判断は、呼び出し符号を受信したときに切替部４５で設定されていた周波数が、第２周波数であるか否かを判別することで行ってもよい。。
【０１２２】
ステップＳ３１４で肯定判断すると（ステップＳ３１４：Ｙｅｓ）、ステップＳ３１６へ進み、チャンネルスキャンを停止する（ステップＳ３１６）。これによって、無線端末２６は、第２通信装置２０と無線通信するための第２周波数で無線通信を開始する。
【０１２３】
次に、無線端末２６の制御部４６が、第２通信装置２０からの第１情報の受信を開始する（ステップＳ３１８）。そして、通信制御部４７は、第２通信装置２０からの第１情報の受信が第２通信装置２０によって遮断されることで、無線通信終了と判断するまで否定判断を繰り返す（ステップＳ３２０：Ｎｏ）。そして、ステップＳ３２０で肯定判断すると（ステップＳ３２０：Ｙｅｓ）、本ルーチンを終了する。
【０１２４】
一方、上記ステップＳ３１４で否定判断した場合（ステップＳ３１４）。無線端末２６は、第３周波数で、他の無線端末２６との通信を開始し、通信が終了すると、本ルーチンを終了する。
【０１２５】
以上説明したように、本実施の形態の無線システム１０では、速報装置１６から緊急情報を受信する第１通信装置１８が、領域Ｐ内に位置する無線端末２６と、第１周波数で無線通信し、無線端末２６へ緊急情報を送信する。また、第２通信装置２０は、領域Ｐ内に位置する無線端末２６との間で、緊急情報以外の第１情報を第２周波数で無線通信により送受信する。
【０１２６】
このため、本実施の形態の無線システム１０では、第１情報を第２通信装置２０が送信していることによる周波数帯域の占有や、無線端末２６が緊急速報以外の第１情報を受信していること等によってユーザに対して緊急情報を提供することが困難となることが抑制され、災害発生時等の緊急時に、特定の領域Ｐに存在する無線端末２６を携帯したユーザに対して的確に緊急情報を提供することができる。
【０１２７】
また、上述したように、本実施の形態の無線システム１０では、第１通信装置１８が速報装置１６から緊急情報を受信したときに、第２通信装置２０が無線端末２６へ第１情報を送信中である場合には、第１通信装置１８から第２通信装置２０へ通信遮断指示を送信し、緊急情報の無線端末２６への送信を開始する。このため、無線端末２６は、第２通信装置２０との無線通信を解除され、第１通信装置１８から緊急情報を受信することができる。
【０１２８】
このため、本実施の形態の無線システム１０では、災害発生時等の緊急時に、特定の領域Ｐに存在する無線端末２６を携帯したユーザに対して、さらに的確に緊急情報を提供することができる。
【０１２９】
また、第１通信装置１８が速報装置１６から緊急情報を受信したときに、第２通信装置２０が無線端末２６から第１情報を受信中である場合には、第１通信装置１８から無線端末２６へ緊急情報の送信を開始しつつ、第２通信装置２０と無線端末２６との無線通信が第２通信装置２０から無線端末２６への第１情報の送信に切り替わったときに、第１通信装置１８から第２通信装置２０へ通信遮断指示を送信する。このため、第１通信装置１８が速報装置１６から緊急情報を受信したときに、第２通信装置２０と無線通信中であった無線端末２６以外の無線端末２６に対して先に緊急情報を送信することができる。また、第１通信装置１８が緊急情報を受信したときに、第２通信装置２０と無線通信中であった無線端末２６についても、第２通信装置２０との無線通信が終了したときに、緊急情報を第１通信装置１８から受信することができる。
【０１３０】
このため、本実施の形態の無線システム１０では、災害発生時等の緊急時に、特定の領域Ｐに存在する無線端末２６を携帯したユーザに対して、さらに的確に緊急情報を提供することができる。
【０１３１】
なお、上記実施の形態では、第１通信装置１８は、第２通信装置２０が第１情報を無線端末２６へ送信する「送信中」であるときに、送信遮断指示を第２通信装置２０へ送信し、第２通信装置２０側で送信を遮断する場合を説明した。
【０１３２】
しかし、第１通信装置１８は、第２通信装置２０を介して入出力装置２１から第１情報を無線端末２６に向かって送信中であるユーザに対して、送信遮断を示す情報を出力してもよい。
【０１３３】
この場合には、第１通信装置１８では、図１２に示す緊急処理を実行すればよい。図１２は、第１通信装置１８で実行する緊急速報処理の他の手順を示すフローチャートである。
【０１３４】
この場合、第１通信制御部１８Ｇが、上記図８で説明したステップＳ１００〜ステップ１０４と同様に、ステップＳ４００〜ステップＳ４０４の処理を行う。これによって、第１通信制御部１８Ｇは、第２通信装置２０と無線端末２６との通信状態が、第２通信装置２０から無線端末２６への「送信中」の状態であるか否かを判断する。
【０１３５】
ステップ４０４で肯定判断し（ステップＳ４０４：Ｙｅｓ）、通信状態が送信中である場合には、ステップＳ４０６へ進む。そして、第１通信制御部１８Ｇは、通信遮断指示に替えて、通信遮断要求の出力指示を第２通信装置２０へ送信する（ステップＳ４０６）。
【０１３６】
ステップＳ４０６の処理によって、通信遮断要求の出力指示を受け付けた第２通信装置２０の第２通信制御部２０Ｇは、第６通信部２０Ｆを介して入出力装置２１へ、送信遮断要求の出力指示を送信する。入出力装置２１は、送信遮断要求の出力指示を、第７通信部２１Ｄを介して受信する。すると、入出力装置２１の第３通信制御部２１Ｃが、入出力装置２１の第２出力部２１Ｂに、送信遮断要求を音声及び画像の少なくとも一方により出力する。
【０１３７】
これにより、入出力装置２１から第２通信装置２０を介して無線端末２６へ第１情報を発信していたユーザに対して、送信遮断要求を提供することができる。
【０１３８】
次に、第１通信制御部１８Ｇでは、第２通信装置２０から無線端末２６への第１情報の送信が遮断した状態となるまで否定判断を繰り返す（ステップＳ４０８：Ｎｏ）。そして、ステップＳ４０８で肯定判断すると（ステップＳ４０８：Ｙｅｓ）、ステップ４１０へ進む。
【０１３９】
そして、第１通信制御部１８Ｇは、図８のステップＳ１０８〜ステップＳ１１２と同様にして、ステップＳ４１０〜ステップＳ４１４の処理を行い、本ルーチンを終了する。すなわち、速報装置１６からＰＴＴ信号を受信している期間、第１通信装置１８から領域Ｐ内の無線端末２６へ、速報装置１６から受信した緊急情報が、送信されるなお、第１通信制御部１８Ｇは、ステップＳ４０６の処理で送信遮断要求の出力指示を第２通信装置２０へ送信した後で、且つステップＳ４０８の判断を行う前に、緊急情報の無線端末２６への送信を開始することが好ましい。
【０１４０】
一方、上記ステップＳ４０４で否定判断すると（ステップＳ４０４：Ｎｏ）、ステップＳ４１６へ進み、図８のステップＳ１１４〜ステップＳ１２４と同様にして、ステップＳ４１６〜ステップＳ４２６の処理を行い、本ルーチンを終了する。
【０１４１】
次に、第２通信装置２０を介して入出力装置２１から無線端末２６へ向けて第１情報を発信中であるユーザに対して、送信遮断を示す情報を出力する場合に、第２通信装置２０が実行する割込み処理を説明する。この場合についても、第２通信装置２０は、上記図９に示す緊急処理を実行する。そして、この緊急処理において、図１３に示す割込み処理を実行すればよい。
【０１４２】
図１３は、第２通信装置２０が図９に示す緊急処理を実行しているときに、所定時間毎に行う割り込み処理の他の手順を示すフローチャートである。
【０１４３】
まず、第２通信制御部２０Ｇは、図１０のステップＳ２５０〜ステップＳ２５６と同様にして、ステップＳ５００〜ステップＳ５０４の処理を行う。この処理によって、第２通信装置２０の通信状態が、第２通信装置２０から無線端末２６への第１情報の「送信中」である場合には、「送信中」であることを示す信号を第１通信装置１８へ送信する。
【０１４４】
次に、第２通信制御部２０Ｇは、第１通信装置１８から通信遮断要求の出力指示を受信するまで否定判断を繰り返す（ステップＳ５０６：Ｎｏ）。そして、ステップＳ５０６で肯定判断すると（ステップＳ５０６：Ｙｅｓ）、ステップＳ５０８へ進む。
【０１４５】
ステップＳ５０８では、第２通信制御部２０Ｇが、第６通信部２０Ｆ、第７通信部２１Ｄを介して入出力装置２１の第２出力部２１Ｂへ、通信遮断要求を出力する（ステップＳ５０８）。
【０１４６】
ステップＳ５０８の処理によって、入出力装置２１の第２出力部２１Ｂには、送信遮断要求を示す音声及び画像の少なくとも一方が出力される。このため、入出力装置２１から無線端末２６に向かって第１情報を発信中であったユーザに対して、送信遮断要求を出力することができる。
【０１４７】
次に、第２通信制御部２０Ｇは、入出力装置２１からの第１情報の送信が遮断されるまで否定判断を繰り返す（ステップＳ５１０：Ｎｏ）。そして、ステップ５１０で肯定判断すると（ステップＳ５１０：Ｙｅｓ）、ステップＳ５１２へ進む。ステップＳ５１２では、第２通信装置２０から無線端末２６への第１情報の送信が終了し、通信状態が「遮断中」となったことを示す情報を第１通信装置１８へ送信する（ステップＳ５１２）。そして、本ルーチンを終了する。
【０１４８】
一方、上記ステップＳ５００で否定判断された場合には（ステップＳ５００：Ｎｏ）、本ルーチンを終了する。また、ステップＳ５０２で否定判断された場合（ステップＳ５０２：Ｎｏ）については、図１０のステップＳ２６０〜ステップＳ２７２と同様にして、ステップＳ５１４〜ステップＳ５２６の処理を行った後に、本ルーチンを終了する。
【０１４９】
このように、入出力装置２１から第１情報を発信中であるユーザに対して、送信遮断を示す情報を出力してもよい。送信遮断を示す情報の例は「緊急速報発令中です。送信をやめてください。」等の音声情報やテキストデータである。
【０１５０】
（実施の形態２）
本実施の形態の無線システムでは、少なくとも、第１情報と緊急情報とを重畳した第１重畳情報を作成する重畳装置１９を更に備える。
【０１５１】
図１４は、本実施の形態の無線システム１０Ａを示す模式図である。図１４に示すように無線システム１０Ａは、災害情報提供装置１２、速報装置１６、第１通信装置１８０、第２通信装置２００、重畳装置１９、及び無線端末２６を備える。なお、第１通信装置１８に替えて第１通信装置１８０、第２通信装置２０に替えて第２通信装置２００を備え、更に重畳装置１９を備えた点が、実施の形態１と異なる。
【０１５２】
なお、第１通信装置１８０の機能及び構成は、第１通信装置１８と同様であるので、異なる点のみ説明する。同様に、第２通信装置２００の機能及び構成は、第２通信装置２０と同様であるので、異なる点のみ説明する。
【０１５３】
第１通信装置１８０は、第２通信装置２００に有線接続されると共に、更に重畳装置１９に有線接続されている。また、第２通信装置２００は、第１通信装置１８０に有線接続されると共に、重畳装置１９に有線接続されている。重畳装置１９は、第１通信装置１８０及び入出力装置２１に有線接続されている。有線接続の定義は、実施の形態１と同様である。
【０１５４】
なお、本実施の形態では、第２通信装置２００と重畳装置１９とは別体として設けられている場合を説明するが、第２通信装置２００と重畳装置１９とを一体的に構成した装置２３としてもよい。
【０１５５】
図１５は、第１通信装置１８０の機能ブロック図である。図１５に示すように、第１通信装置１８０は、第３通信部１８Ａ、制御部１８０Ｂ、記憶部１８Ｃ、第１無線部１８Ｄ、及びアンテナ１８Ｅを備える。図３に示す実施の形態１の第１通信装置１８とは、制御部１８Ｂに替えて制御部１８０Ｂを備えた点が異なる。
【０１５６】
制御部１８０Ｂは、ＣＰＵ、ＲＯＭ、及びＲＡＭなどを含んで構成されるコンピュータであり、第１通信装置１８０全体を制御する。制御部１８０Ｂは、判定部１８０Ｆ、及び第１通信制御部１８０Ｇを備える。判定部１８０Ｆは、判定部１８Ｆと同様に、第２通信装置２０と無線端末２６との通信状態を判定する。
【０１５７】
第１通信制御部１８０Ｇは、判定部１８０Ｆによって第２通信装置２００が無線端末２６へ第１情報を送信中であることが判定されたときに、第１指示を重畳装置１９へ送信する制御を行う。
【０１５８】
第１指示は、速報装置１６から受信した緊急情報、該緊急情報と第１情報とを重畳することを指示する重畳指示と、を少なくとも含む。本実施の形態では、第１指示は、更に、第１情報に含まれる高周波成分を除去する指示を示す除去指示信号と、第１情報の出力レベルの低下指示を示す低下指示信号と、を含む。なお、第１指示は、少なくとも緊急情報と、重畳指示と、を少なくとも含む構成であればよいが、除去指示信号及び低下指示信号の少なくとも一方を含むことが好ましい。
【０１５９】
図１４に戻り、重畳装置１９は、第１通信装置１８０から第１指示を受信すると共に、入出力装置２１から第１情報を受信する。そして、重畳装置１９は、第１指示に基づいて、第１重畳情報を生成する。第１重畳情報は、第１通信装置１８０から受信した第１指示に含まれる緊急情報と、入出力装置２１から受信した第１情報と、を重畳すると共に、第１情報の出力レベルの低下指示を示す低下指示信号と、第１情報に含まれる高周波数成分を除去する指示を示す除去指示信号と、を重畳した情報である。
【０１６０】
図１６は、重畳装置１９を介して入出力装置２１及び第１通信装置１８０に接続された第２通信装置２００の機能ブロック図である。図１６に示すように、第２通信装置２００は、第５通信部２０Ａ、制御部２００Ｂ、記憶部２０Ｃ、第２無線部２０Ｄ、アンテナ２０Ｅ、及び第６通信部２０Ｆを備える。制御部２０Ｂに替えて制御部２００Ｂを備えた点が、実施の形態１の第２通信装置２０と異なる。
【０１６１】
制御部２００Ｂは、ＣＰＵ、ＲＯＭ、及びＲＡＭなどを含んで構成されるコンピュータであり、第２通信装置２００全体を制御する。本実施の形態では、制御部２００Ｂは、第２通信装置２００Ｇを含む。第２通信制御部２００Ｇは、重畳装置１９から第１重畳情報を受信し、第１重畳情報に含まれる除去指示信号及び低下指示信号に基づいて、第１重畳情報に含まれる第１情報における高周波数成分を除去すると共に、音声出力ゲインを低下させる、通話音調整処理を行なう。そして、制御部２００Ｂは、通話音調整処理のなされた第１情報と緊急情報との重畳信号である第１重畳情報を、無線端末２６へ第２周波数で無線通信により送信する制御を行う。
【０１６２】
次に、本実施の形態の第１通信装置１８０が実行する緊急速報処理について説明する。
【０１６３】
図１７は、第１通信装置１８０で実行する緊急速報処理の手順を示すフローチャートである。第１通信装置１８０では、所定時間毎に図１７に示す緊急速報処理を繰り返し実行する。
【０１６４】
制御部１８０Ｂでは、図８のステップＳ１００〜ステップＳ１０４と同様の処理を行う。すなわち、第１通信制御部１８０Ｇが、第３通信部１８Ａを介して緊急情報及びＰＴＴ信号を速報装置１６から受信したか否かを判断する（ステップＳ６００）。そして、肯定判断されると、判定部１８０Ｆが、通信状態を確認し、第２通信装置２００から無線端末２６への第１情報の「送信中」であるか否かを判断する（ステップＳ６０４）。ステップＳ６０４で肯定判断し（ステップＳ６０４：Ｙｅｓ）、通信状態が送信中である場合には、ステップＳ６０６へ進む。
【０１６５】
ステップＳ６０６では、第１通信制御部１８０Ｇが、緊急情報の重畳指示を含む第１指示を重畳装置１９へ送信する（ステップＳ６０６）。次に、第１通信制御部１８０Ｇは、上記ステップＳ６００で受信した、緊急情報を無線端末２６へ送信する送信処理を開始する（ステップＳ６０８）。
【０１６６】
ステップＳ６０６〜ステップＳ６０８の処理によって、第２通信装置２００から第１情報を受信中であった無線端末２６には、後述する第２通信装置２００の処理によって第１重畳情報が送信される。また、ステップＳ６０６〜ステップＳ６０８の処理によって、第２通信装置２００または他の無線端末２６と無線通信を行っていなかった無線端末２６には、第１通信装置１８０から緊急情報の送信が開始される。
【０１６７】
次に、第１通信制御部１８０Ｇは、上記ステップＳ６０８の処理を行った後に、ＰＴＴ信号を受信しなくなるまで否定判断を繰り返し（ステップＳ６１０：Ｎｏ）、肯定判断すると（ステップＳ６１０：Ｙｅｓ）、ステップＳ６１２へ進む。
【０１６８】
ステップＳ６１２では、第１通信制御部１８０Ｇが、無線端末２６への緊急情報の送信を終了し、本ルーチンを終了する。
【０１６９】
一方、上記ステップＳ６０４で否定判断した場合（ステップＳ６０４：Ｎｏ）、第１通信制御部１８０Ｇは、実施の形態１におけるステップＳ１１４〜ステップＳ１２４（図８参照）の各々に相当するステップＳ６１４〜ステップＳ６２４の処理を行い、本ルーチンを終了する。
【０１７０】
次に、本実施の形態の重畳装置１９が実行する重畳処理の手順を説明する。
【０１７１】
図１８は、重畳装置１９が実行する重畳処理の手順を示すフローチャートである。まず、重畳装置１９は、第１通信装置１８０から第１指示を受信したか否かを判断する（ステップＳ７００）。ステップＳ７００で否定判断され（ステップＳ７００：Ｎｏ）、第１情報を入出力装置２１から受信した場合には、受信した第１情報をそのまま第２通信装置２０へ送信し（ステップＳ７０８）、本ルーチンを終了する。
【０１７２】
一方、上記ステップＳ７００で肯定判断した場合には（ステップＳ７００：Ｙｅｓ）、ステップＳ７０２へ進む。ステップＳ７０２では、重畳装置１９は、第１通信装置１８０から受信した第１指示及び入出力装置２１から受信した第１情報に基づいて、上述した第１重畳情報を作成する（ステップＳ７０２）。そして、作成した第１重畳情報を第２通信装置２００へ送信する（ステップＳ７０４）。次に、重畳装置１９は、第１通信装置１８０からの第１指示の受信が終了したか否かを判断し（ステップＳ７０６）、否定判断すると（ステップＳ７０６：Ｎｏ）上記ステップＳ７０２へ戻る。一方、肯定判断すると（ステップＳ７０６：Ｙｅｓ）、本ルーチンを終了する。
【０１７３】
次に、本実施の形態の第２通信装置２００が行う緊急処理について説明する。図１９は、本実施の形態の第２通信装置２００が行う緊急処理の手順を示すフローチャートである。
【０１７４】
まず、第２通信装置２００の図示を省略する電源スイッチがユーザによって操作指示されることで、第２通信装置２００の装置各部に電力が供給されると、第２通信装置２００では、所定時間毎に図１９に示す緊急処理を繰り返し実行する。
【０１７５】
まず、第２通信制御部２００Ｇが、図９に示すステップＳ２００〜ステップＳ２０２と同様の処理を行い、入出力装置２１から第１情報の送信指示を受信したか否かを判断し、肯定判断すると、通信状態を送信中に切替える（ステップＳ８００〜ステップＳ８０２）。
【０１７６】
次に、第２通信制御部２００Ｇが、重畳装置１９から第１重畳情報を受信したか否かを判断する（ステップＳ８０４）。そして、重畳装置１９から第１重畳情報を受信した場合には肯定判断し（ステップＳ８０４：Ｙｅｓ）、ステップＳ８０６へ進む。そして、第２通信制御部２００Ｇは、第１重畳情報に含まれる除去指示信号及び低下指示信号に基づいて、第１重畳情報に含まれる第１情報における高周波数成分を除去すると共に、音声出力ゲインを低下させる、通話音調整処理を行なう（ステップＳ８０６）。また、ステップＳ８０６において、第２通信制御部２００Ｇでは、緊急情報と、通話音調整処理のなされた第１情報とを重畳し、第１重畳情報とする。そして、第２通信制御部２００Ｇは、通話音調整処理のなされた第１情報と緊急情報と、の重畳信号である第１重畳情報を、無線端末２６へ第２周波数で無線通信により送信開始する制御を行う（ステップＳ８０８）。
【０１７７】
一方、ステップＳ８０４の判断において、第２通信制御部２００Ｇが、重畳装置１９から第１情報を受信したと判別すると、ステップＳ８０４で否定判断し（ステップＳ８０４：Ｎｏ）、ステップＳ８０５へ進む。ステップＳ８０５では、第２通信制御部２００Ｇが、入出力装置２１から重畳装置１９を介して受信した第１情報を無線端末２６へ送信開始する制御を行う（ステップＳ８０５）。
【０１７８】
次に、上記ステップＳ２０６〜ステップＳ２１０と同様にして、第２通信制御部２０Ｇは、送信が終了したと判断するまで否定判断を繰り返し、肯定判断すると、第２通信装置２０から無線端末２６への送信を遮断する。そして、通信状態を遮断中に切替えた後に、本ルーチンを終了する（ステップＳ８１０〜ステップＳ８１４）。
【０１７９】
一方、上記ステップ８００で否定判断すると（ステップＳ８００：Ｎｏ）、第２通信制御部２００Ｇは、図９に示すステップＳ２１２〜ステップＳ２１６と同様の処理を行い、本ルーチンを終了する（ステップＳ８１６〜ステップＳ８２０）。
【０１８０】
このため、災害情報提供装置１２が緊急速報を受信したときに、第２通信装置２０から第１情報を受信中であった無線端末２６には、緊急情報と第１情報を重畳した第１重畳情報が送信される。
【０１８１】
このため、本実施の形態の無線システム１０Ａでは、更に的確に、特定の領域に存在するユーザに対して的確に緊急情報を提供することができる。
【０１８２】
また、第１指示が、速報装置１６から受信した緊急情報、該緊急情報と第１情報とを重畳することを指示する重畳指示と、を少なくとも含むと共に、更に、第１情報に含まれる高周波成分を除去する指示を示す除去指示信号と、第１情報の出力レベルの低下指示を示す低下指示信号と、を含む。そして、第１指示に基づいて重畳装置１９で作成された第１重畳情報に基づいて、第２通信装置２００は、第１情報に含まれる高周波数成分を除去すると共に、音声出力ゲインを低下させる通話音調整処理を行なう。そして、通話音調整処理のなされた第１情報と緊急情報との重畳信号である第１重畳情報が、無線端末２６へ第２周波数で無線通信により送信される。
【０１８３】
このため、災害情報提供装置１２が緊急速報を受信したときに、第２通信装置２０から第１情報を受信中であった無線端末２６には、受信中の第１情報と共に、緊急情報が送信され、且つ、高周波成分が除去され且つ音量も下げられた状態の第１情報が送信される。
【０１８４】
従って、無線システム１０Ａでは、特定の領域に存在するユーザに対して的確に緊急情報を提供することができると共に、災害等の緊急事態の発生時に、無線端末２６では、受信中であった第１情報より大きい音量で緊急情報を受け付けることができる。また、災害などの緊急事態の発生時に、ユーザが容易に理解できる音量及び周波数帯域の第１情報を無線端末２６へ送信することができる。
【０１８５】
（実施の形態３）
本実施の形態の無線システムでは、少なくとも、第１情報に、通信の遮断を示す遮断指示信号を重畳した第２重畳情報を作成する重畳装置１９Ｂを更に備える。そして、無線端末側に、通信の遮断処理を促す。
【０１８６】
図２０は、本実施の形態の無線システム１０Ｂを示す模式図である。図２０に示すように無線システム１０Ｂは、災害情報提供装置１２、速報装置１６、第１通信装置１８２、第２通信装置２０２、重畳装置１９Ｂ、及び無線端末２７を備える。なお、第１通信装置１８に替えて第１通信装置１８２、第２通信装置２０に替えて第２通信装置２０２を備え、更に重畳装置１９Ｂを備えた点が、実施の形態１と異なる。また、無線端末２６に替えて無線端末２７を備えた点が、実施の形態１と異なる。
【０１８７】
なお、無線端末２７の機能及び構成は、無線端末２６と同様であり、無線端末２６の制御部４６に替えて、後述する制御部４６Ｂを備えた以外は、無線端末２６と同じである。このため、異なる点のみ説明する。同様に、第１通信装置１８２の機能及び構成は、第１通信装置１８と同様であるので、異なる点のみ説明する。同様に、第２通信装置２０２の機能及び構成は、第２通信装置２０と同様であるので、異なる点のみ説明する。
【０１８８】
第１通信装置１８２は、第２通信装置２０２に有線接続されると共に、更に重畳装置１９Ｂに有線接続されている。また、第１通信装置１８２は、実施の形態１と同様に、第１周波数で無線端末２７と無線通信する。
【０１８９】
第２通信装置２０２は、第１通信装置１８２に有線接続されると共に、重畳装置１９Ｂに有線接続されている。また、第２通信装置２０２は、実施の形態１と同様に、第２周波数で無線端末２７と無線通信する。また、無線端末２７同士は、第３周波数で無線通信する。
【０１９０】
重畳装置１９Ｂは、第１通信装置１８０及び入出力装置２１に有線接続されている。有線接続の定義は、実施の形態１と同様である。
【０１９１】
なお、本実施の形態では、第２通信装置２０２と重畳装置１９Ｂとは別体として設けられている場合を説明するが、第２通信装置２０２と重畳装置１９Ｂとを一体的に構成した装置２３Ｂとしてもよい。
【０１９２】
図２１は、第１通信装置１８２の機能ブロック図である。図２１に示すように、第１通信装置１８２は、第３通信部１８Ａ、制御部１８２Ｂ、記憶部１８Ｃ、第１無線部１８Ｄ、及びアンテナ１８Ｅを備える。図３に示す実施の形態１の第１通信装置１８とは、制御部１８Ｂに替えて制御部１８２Ｂを備えた点が異なる。
【０１９３】
制御部１８２Ｂは、ＣＰＵ、ＲＯＭ、及びＲＡＭなどを含んで構成されるコンピュータであり、第１通信装置１８２全体を制御する。制御部１８２Ｂは、判定部１８２Ｆ、及び第１通信制御部１８２Ｇを備える。判定部１８２Ｆは、判定部１８Ｆと同様に、第２通信装置２０と無線端末２６との通信状態を判定する。
【０１９４】
第１通信制御部１８２Ｇは、判定部１８２Ｆによって第２通信装置２０が無線端末２６へ第１情報を送信中であることが判定されたときに、第２指示を重畳装置１９へ送信する制御を行う。
【０１９５】
第２指示は、送信の禁止を示す送信禁止信号の重畳を指示する重畳指示を、少なくとも含む。本実施の形態では、第２指示は、更に、第１情報に含まれる高周波成分を除去する指示を示す除去指示信号と、第１情報の出力レベルの低下指示を示す低下指示信号と、を含む。なお、第２指示は、少なくとも該重畳指示を含む構成であればよいが、除去指示信号及び低下指示信号の少なくとも一方を含むことが好ましい。
【０１９６】
図２０へ戻り、重畳装置１９Ｂは、第１通信装置１８２から第２指示を受信すると共に、入出力装置２１から第１情報を受信する。そして、重畳装置１９Ｂは、第２指示に基づいて、第２重畳情報を生成する。第２重畳情報は、第１通信装置１８０から受信した送信禁止信号と、入出力装置２１から受信した第１情報と、を重畳した信号である。本実施の形態では、第２重畳情報は、送信禁止信号と第１情報に加えて、上記低下指示信号と、上記除去指示信号と、を更に重畳した情報である。なお、遮断指示信号は、例えば、第１情報に用いる周波数帯域以外の帯域に重畳することが好ましい。
【０１９７】
図２２は、重畳装置１９Ｂを介して入出力装置２１及び第１通信装置１８２に接続された第２通信装置２０２の機能ブロック図である。図２２に示すように、第２通信装置２０２は、第５通信部２０Ａ、制御部２０２Ｂ、記憶部２０Ｃ、第２無線部２０Ｄ、アンテナ２０Ｅ、及び第６通信部２０Ｆを備える。制御部２０Ｂに替えて制御部２０２Ｂを備えた点が、実施の形態１の第２通信装置２０と異なる。
【０１９８】
制御部２０２Ｂは、ＣＰＵ、ＲＯＭ、及びＲＡＭなどを含んで構成されるコンピュータであり、第２通信装置２０２全体を制御する。本実施の形態では、制御部２０２Ｂは、第２通信制御部２０２Ｇを含む。第２通信制御部２０２Ｇは、重畳装置１９Ｂから第２重畳情報を受信し、第２重畳情報に含まれる除去指示信号及び低下指示信号に基づいて、第２重畳情報に含まれる第１情報における高周波数成分を除去すると共に、音声出力ゲインを低下させる、通話音調整処理を行なう。そして、通話音調整処理のなされた第１情報と、上記送信禁止信号と、の重畳信号である第２重畳情報を、無線端末２７へ第２周波数で無線通信により送信する制御を行う。
【０１９９】
図２３は、本実施の形態の無線端末２７の機能ブロック図である。無線端末２７は、表示部３６、操作部３８、音声入力部４２、音声出力部３２、記憶部４４、制御部４６Ｂ、第３無線部４８、及びアンテナ４１を備える。制御部４６に替えて制御部４６Ｂを備えた点が、実施の形態１の無線端末２６と異なる。
【０２００】
制御部４６Ｂは、ＣＰＵ、ＲＯＭ、及びＲＡＭなどを含んで構成されるコンピュータであり、無線端末２７全体を制御する。制御部４６Ｂは、切替部４５０及び通信制御部４７０を備える。
【０２０１】
切替部４５０は、実施の形態１の切替部４５と同様に、無線通信の周波数を切替える。本実施の形態では、切替部４５０は、第１周波数、第２周波数、または第３周波数の間で周波数の切り替えを行う。実施の形態１の切替部４５と異なる点は、切替部４５０は、通信制御部４７０によって、周波数の切り替えを制御される点である。
【０２０２】
通信制御部４７０は、第１通信装置１８２、第２通信装置２０２、及び他の無線端末２７の各々との通信を制御する。また、通信制御部４７０は、切替部４５０の周波数の切り替えを制御する。
【０２０３】
次に、第１通信装置１８２が行う緊急速報処理について説明する。
【０２０４】
図２４は、第１通信装置１８２で実行する緊急速報処理の手順を示すフローチャートである。第１通信装置１８２では、所定時間毎に図２４に示す緊急速報処理を繰り返し実行する。
【０２０５】
制御部１８２Ｂでは、図８のステップＳ１００〜ステップＳ１０４と同様の処理を行う。すなわち、第１通信制御部１８２Ｇが、第３通信部１８Ａを介して緊急情報及びＰＴＴ信号を速報装置１６から受信したか否かを判断する（ステップＳ６０００）。そして、肯定判断されると、判定部１８２Ｆが、通信状態を確認し、第２通信装置２０２から無線端末２７への第１情報の「送信中」であるか否かを判断する（ステップＳ６０４０）。ステップＳ６０４０で肯定判断し（ステップＳ６０４０：Ｙｅｓ）、通信状態が送信中である場合には、ステップＳ６０６０へ進む。
【０２０６】
ステップＳ６０６０では、第１通信制御部１８２Ｇが、第２指示を重畳装置１９Ｂへ送信する（ステップＳ６０６０）。次に、第１通信制御部１８２Ｇは、上記ステップＳ６０００で受信した、緊急情報を無線端末２７へ送信する送信処理を開始する（ステップＳ６０８０）。
【０２０７】
ステップＳ６０６０〜ステップＳ６０８０の処理によって、第２通信装置２０００から第１情報を受信中であった無線端末２７には、後述する第２通信装置２０００の処理によって第２重畳情報が送信される。また、ステップＳ６０６０〜ステップＳ６０８０の処理によって、第２通信装置２０２または他の無線端末２７と無線通信を行っていなかった無線端末２７には、緊急情報の送信が開始される。
【０２０８】
次に、制御部１８２Ｂでは、第１通信制御部１８２Ｇが、実施の形態１におけるステップＳ１１０〜ステップＳ１２０（図８参照）に対応する、ステップＳ６１００〜ステップＳ６１２０の処理を行った後に、本ルーチンを終了する。
【０２０９】
一方、上記ステップＳ６０４０で否定判断した場合（ステップＳ６０４０：Ｎｏ）、第１通信制御部１８２Ｇは、実施の形態１におけるステップＳ１１４〜ステップＳ１２４の各々に相当するステップＳ６１４０〜ステップＳ６２４０の処理を行い、本ルーチンを終了する。
【０２１０】
次に、本実施の形態の重畳装置１９Ｂが実行する重畳処理の手順を説明する。
【０２１１】
図２５は、重畳装置１９Ｂが実行する重畳処理の手順を示すフローチャートである。まず、重畳装置１９Ｂは、第１通信装置１８２から第２指示を受信したか否かを判断する（ステップＳ７０００）。ステップＳ７０００で否定判断され（ステップＳ７０００：Ｎｏ）、第１情報を入出力装置２１から受信した場合には、受信した第１情報をそのまま第２通信装置２０２へ送信し（ステップＳ７０８０）、本ルーチンを終了する。
【０２１２】
一方、上記ステップＳ７０００で肯定判断した場合には（ステップＳ７０００：Ｙｅｓ）、ステップＳ７０２０へ進む。ステップＳ７０２０では、重畳装置１９Ｂは、第１通信装置１８２から受信した第２指示及び入出力装置２１から受信した第１情報に基づいて、上述した第２重畳情報を作成する（ステップＳ７０２０）。そして、作成した第２重畳情報を第２通信装置２０２へ送信する（ステップＳ７０４０）。次に、重畳装置１９Ｂは、第１通信装置１８２からの第２指示の受信が終了したか否かを判断し（ステップＳ７０６０）、否定判断すると（ステップＳ７０６０：Ｎｏ）上記ステップＳ７０２０へ戻る。一方、肯定判断すると（ステップＳ７０６０：Ｙｅｓ）、本ルーチンを終了する。
【０２１３】
次に、本実施の形態の第２通信装置２０２が行う緊急処理について説明する。図２６は、本実施の形態の第２通信装置２０２が行う緊急処理の手順を示すフローチャートである。
【０２１４】
まず、第２通信装置２０２の図示を省略する電源スイッチがユーザによって操作指示されることで、第２通信装置２０２の装置各部に電力が供給されると、第２通信装置２０２では、所定時間毎に図２６に示す緊急処理を繰り返し実行する。
【０２１５】
まず、第２通信制御部２０２Ｇが、図９に示すステップＳ２００〜ステップＳ２０２と同様の処理を行い、入出力装置２１から第１情報の送信指示を受信したか否かを判断し、肯定判断すると、通信状態を送信中に切替える（ステップＳ８０００〜ステップＳ８０２０）。
【０２１６】
次に、第２通信制御部２０２Ｇが、重畳装置１９Ｂから第２重畳情報を受信したか否かを判断する（ステップＳ８０４０）。そして、重畳装置１９Ｂから第２重畳情報を受信した場合には肯定判断し（ステップＳ８０４０：Ｙｅｓ）、ステップＳ８０６０へ進む。そして、第２通信制御部２０２Ｇは、第２重畳情報に含まれる除去指示信号及び低下指示信号に基づいて、第２重畳情報に含まれる第１情報における高周波数成分を除去すると共に、音声出力ゲインを低下させる通話音調整処理を行なう（ステップＳ８０６０）。また、ステップＳ８０６０において、第２通信制御部２０２Ｇでは、通話音調整処理のなされた第１情報と、送信の禁止を示す送信禁止信号と、を重畳して第２重畳情報とする。
【０２１７】
そして、通話音調整処理のなされた第１情報と、送信禁止信号と、の重畳信号である第２重畳情報を、無線端末２７へ第２周波数で無線通信により送信する送信を開始する制御を行う（ステップＳ８０８０）。
【０２１８】
一方、ステップＳ８０４０の判断において、第２通信制御部２０２Ｇが、重畳装置１９Ｂから第１情報を受信したと判別すると、ステップＳ８０４０で否定判断し（ステップＳ８０４０：Ｎｏ）、ステップＳ８０５０へ進む。ステップＳ８０５０では、第２通信制御部２０２Ｇが、入出力装置２１から重畳装置１９Ｂを介して受信した第１情報を無線端末２６へ送信する送信を開始する制御を行う（ステップＳ８０５０）。
【０２１９】
次に、上記ステップＳ２０６と同様にして、第２通信制御部２０２Ｇは、送信が終了したと判断するまで否定判断を繰り返し（ステップＳ８１００：Ｎｏ）、肯定判断すると（ステップＳ８１００：Ｙｅｓ）、ステップＳ８１１０へ進む。ステップＳ８１１０では、第２通信制御部２０２Ｇは、送信禁止解除指示を送信し（ステップＳ８１１０）、第２通信装置２０２から無線端末２７への送信を遮断する。そして、通信状態を遮断中に切替えた後に、本ルーチンを終了する（ステップＳ８１２０〜ステップＳ８１４０）。
【０２２０】
一方、上記ステップ８０００で否定判断すると（ステップＳ８０００：Ｎｏ）、第２通信制御部２０２Ｇは、図９に示すステップＳ２１２〜ステップＳ２１６と同様の処理を行い、本ルーチンを終了する（ステップＳ８１６０〜ステップＳ８２００）。
【０２２１】
このため、災害情報提供装置１２が緊急速報を受信したときに、第２通信装置２０２から第１情報を受信中であった無線端末２７には、送信の禁止を示す送信禁止信号と第１情報とを重畳した第２重畳情報が送信される。
【０２２２】
次に、本実施の形態の無線端末２７で実行する処理を説明する。
【０２２３】
図２７は無線端末２７が実行する緊急処理の手順を示すフローチャートである。
【０２２４】
まず、無線端末２７の図示を省略する電源スイッチがユーザによって操作指示されることで、無線端末２７の装置各部に電力が供給されると、無線端末２７では、初期設定として、無線通信に用いる周波数を第３周波数（他の無線端末２７と無線通信するときに用いる周波数）に設定した後に、ステップＳ９００へ進む。
【０２２５】
ステップＳ９００では、通信制御部４７０が、チャンネルスキャンを実行する制御を行う（ステップＳ９００）。ステップＳ９００では、通信制御部４７０が、無線通信する周波数を、第１周波数、第２周波数、第３周波数との間で順次切り替えるように切替部４５０を制御する。
【０２２６】
次に、制御部４６Ｂが、上記ステップＳ９００の処理によって切替えられた各周波数で、アンテナ４１を介して第３無線部４８で第１通信装置１８２から情報（例えば、呼び出し符号）を受信したか否かを判断する（ステップＳ９０２）。ステップＳ９０２の判断は、第１周波数で無線通信したときに呼び出し符号を受け付けたか否かを判別することで行う。
【０２２７】
ステップＳ９０２で肯定判断すると（ステップＳ９０２：Ｙｅｓ）、ステップＳ９０４へ進み、チャンネルスキャンを停止する。これによって、無線端末２７は、第１通信装置１８２と無線通信するための第１周波数で無線通信を開始する。
【０２２８】
次に、無線端末２７の制御部４６Ｂが、第１通信装置１８２からアラート信号を受信したか否かを判断する（ステップＳ９０６）。そして、切替部４５０は、第１通信装置１８２からアラート信号を受信するまで否定判断を繰り返し（ステップＳ９０６：Ｎｏ）、アラート信号を受信すると肯定判断する（ステップＳ９０６：Ｙｅｓ）。
【０２２９】
次に、無線端末２７の制御部４６Ｂが、ステップＳ９０６で受信したアラート信号によって示される警告情報を、表示部３６へ表示する（ステップＳ９０８）。ステップＳ９０８の処理によって、緊急情報の受信前に、警告情報を表示部３６へ表示することができる。なお、アラート信号を受信するステップＳ９０６および無線端末２７の制御部４６Ｂが、ステップＳ９０６で受信したアラート信号によって示される警告情報を、表示部３６へ表示するステップＳ９０８は、無線端末２７が表示部３６を備えていない場合などは、省略されてもよい。
【０２３０】
次に、無線端末２７の制御部４６Ｂが、第１通信装置１８２から緊急情報を受信したか否かを判断する（ステップＳ９１０）。ステップＳ９１０で否定判断すると（ステップＳ９１０：Ｎｏ）、上記ステップＳ９０８へ戻る。一方、ステップＳ９１０で肯定判断すると（ステップＳ９１０：Ｙｅｓ）、ステップＳ９１２へ進む。
【０２３１】
次に、無線端末２７の制御部４６Ｂが、ステップＳ９１０で受信した緊急情報を音声出力部３２に出力する（ステップＳ９１２）。
【０２３２】
ステップＳ９１２の処理によって、第１通信装置１８２から送信された緊急情報が、領域Ｐ内に位置する無線端末２７に出力される。
【０２３３】
一方、上記ステップＳ９０２で否定判断すると（ステップＳ９０２：Ｎｏ）、ステップＳ９１４へ進む。そして、制御部４６Ｂが、上記ステップＳ９００の処理によって切替えられた各周波数で、アンテナ４１を介して第３無線部４８で第２通信装置２０２から情報（例えば、呼び出し符号）を受信したか否かを判断する（ステップＳ９１４）。ステップＳ９１４の判断は、第２周波数で無線通信したときに呼び出し符号を受け付けたか否かを判別することで行う。
【０２３４】
ステップＳ９１４で肯定判断すると（ステップＳ９１４：Ｙｅｓ）、ステップＳ９１６へ進み、チャンネルスキャンを停止する（ステップＳ９１６）。これによって、無線端末２７は、第２通信装置２０２と無線通信するための第２周波数で無線通信を開始する。
【０２３５】
次に、無線端末２７の制御部４６Ｂが、第２通信装置２０２から受信を開始する（ステップＳ９１８）。
【０２３６】
そして、通信制御部４７は、第２通信装置２０２から受信した情報が上記第２重畳情報であるか否か、すなわち、送信を禁止させることを示す送信禁止信号が含む第２重畳情報を第１情報として受信したか否かを判断する（ステップＳ９２０）。
【０２３７】
ステップＳ９２０で肯定判断すると（ステップＳ９２０：Ｙｅｓ）、ステップＳ９２２へ進み、第２通信装置２０２からの受信が終了した場合に、該第２通信装置２０２及び他の無線端末２７等への送信を禁止する送信禁止状態とする（ステップＳ９２２）。次に、通信制御部４７は、送信禁止解除指示を受信するまで否定判断を繰り返す(ステップＳ９２４：Ｎｏ)。そして、送信禁止解除指示を受信した場合、ステップＳ９２４で肯定判断し（ステップＳ９２４：Ｙｅｓ）、ステップＳ９２６へ進む。ステップＳ０２６では、送信禁止状態を解除し（ステップＳ９２６）、本ルーチンを終了する。
【０２３８】
一方、ステップＳ９２０で否定判断すると（ステップＳ９２０：Ｎｏ）、第２通信装置２０からの第１情報の受信が第２通信装置２０によって遮断されることで、無線通信終了と判断するまで否定判断を繰り返す（ステップＳ９２４：Ｎｏ）。そして、ステップＳ９２４で肯定判断すると（ステップＳ９２４：Ｙｅｓ）、本ルーチンを終了する。
【０２３９】
一方、上記ステップＳ９１４で否定判断した場合（ステップＳ９１４：Ｎｏ）、無線端末２７は、第３周波数で、他の無線端末２７との通信を開始し（ステップＳ９２６）、通信が終了すると、本ルーチンを終了する。
【０２４０】
以上説明したように、本実施の形態の無線システム１０Ｂでは、緊急速報が発信されたときに、第２通信装置２０２から第１情報を受信中であった無線端末２７には、通信の遮断を示す遮断指示信号と第１情報とを重畳した第２重畳情報を送信する。そして、無線端末２７は、第２重畳情報に含まれる送信禁止信号に基づいて、第２通信装置２０２及び他の無線端末２７への送信を禁止し、第１通信装置１８２から緊急情報を受信する。
【０２４１】
従って、緊急速報が発信されたときには、無線端末２７からの送信を禁止することができるので、無線端末２７において緊急速報を確実に受信できるようになる。
このため、本実施の形態の無線システム１０Ｂでは、更に的確に、特定の領域に存在するユーザに対して緊急情報を提供することができる。
【０２４２】
なお、上記実施の形態の速報装置１６、第１通信装置１８、第１通信装置１８０、第１通信装置１８２、第２通信装置２０、第２通信装置２００、第２通信装置２０２、重畳装置１９、重畳装置１９Ｂ、出力装置２２、無線端末２６、無線端末２７は、ＣＰＵなどの制御装置を備えており、通常のコンピュータを利用したハードウェア構成となっている。
【０２４３】
また、上記実施の形態の速報装置１６、第１通信装置１８、第１通信装置１８０、第１通信装置１８２、第２通信装置２０、第２通信装置２００、第２通信装置２０２、重畳装置１９、重畳装置１９Ｂ、出力装置２２、無線端末２６、無線端末２７の各々で実行される各種処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０２４４】
また、上記実施の形態の速報装置１６、第１通信装置１８、第１通信装置１８０、第１通信装置１８２、第２通信装置２０、第２通信装置２００、第２通信装置２０２、重畳装置１９、重畳装置１９Ｂ、出力装置２２、無線端末２６、無線端末２７で実行される各種処理を実行するためのプログラムを、インターネット等のネットワークに接続されたコンピュータ上に格納し、ネットワーク経由でダウンロードさせることにより提供するように構成してもよい。また、上記実施の形態の速報装置１６、第１通信装置１８、第１通信装置１８０、第１通信装置１８２、第２通信装置２０、第２通信装置２００、第２通信装置２０２、重畳装置１９、重畳装置１９Ｂ、出力装置２２、無線端末２６、無線端末２７で実行される各種処理を実行するためのプログラムをインターネット等のネットワーク経由で提供または配布するように構成してもよい。
【０２４５】
また、上記実施の形態の速報装置１６、第１通信装置１８、第１通信装置１８０、第１通信装置１８２、第２通信装置２０、第２通信装置２００、第２通信装置２０２、重畳装置１９、重畳装置１９Ｂ、出力装置２２、無線端末２６、無線端末２７で実行される各種処理を実行するためのプログラムを、ＲＯＭ等に予め組み込んで提供するように構成してもよい。
【０２４６】
なお、上記実施の形態の速報装置１６、第１通信装置１８、第１通信装置１８０、第１通信装置１８２、第２通信装置２０、第２通信装置２００、第２通信装置２０２、重畳装置１９、重畳装置１９Ｂ、出力装置２２、無線端末２６、無線端末２７で実行される各種処理を実行するためのプログラムは、上述した処理を実行するための機能部を含むモジュール構成となっており、実際のハードウェアとしてはＣＰＵ（プロセッサ）が上記記憶媒体から各種プログラムを読み出して実行することにより上記各機能部が主記憶装置上にロードされ、主記憶装置上に生成されるようになっている。
【０２４７】
なお、上記には、本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０２４８】
１０、１０Ａ、１０Ｂ  無線システム
１６  速報装置
１６Ａ  第１通信部
１６Ｂ  第２通信部
１６Ｅ  作成部
１８、１８０、１８２  第１通信装置
１８Ａ  第３通信部
１８Ｂ  制御部
１８Ｄ  第１無線部
１８Ｆ、１８０Ｆ、１８２Ｆ  判定部１８Ｆ
１８Ｇ、１８０Ｇ、１８２Ｇ  第１通信制御部
１８Ｈ  第４通信部
１９、１９Ｂ  重畳装置
２０、２００、２０２  第２通信装置
２０Ａ  第５通信部
２０Ｄ  第２無線部
２０Ｇ、２００Ｇ、２０２Ｇ  第２通信制御部
２０Ｆ  第６通信部
２１  入出力装置
２１Ｂ  第２出力部
２６、２７  無線端末
３２  音声出力部
４２  音声入力部
４５、４５０  切替部
４７、４７０  通信制御部
４８  第３無線部
【図１】
2013187554.tif 000003
【図２】
2013187554.tif 000004
【図３】
2013187554.tif 000005
【図４】
2013187554.tif 000006
【図５】
2013187554.tif 000007
【図６】
2013187554.tif 000008
【図７】
2013187554.tif 000009
【図８】
2013187554.tif 000010
【図９】
2013187554.tif 000011
【図１０】
2013187554.tif 000012
【図１１】
2013187554.tif 000013
【図１２】
2013187554.tif 000014
【図１３】
2013187554.tif 000015
【図１４】
2013187554.tif 000016
【図１５】
2013187554.tif 000017
【図１６】
2013187554.tif 000018
【図１７】
2013187554.tif 000019
【図１８】
2013187554.tif 000020
【図１９】
2013187554.tif 000021
【図２０】
2013187554.tif 000022
【図２１】
2013187554.tif 000023
【図２２】
2013187554.tif 000024
【図２３】
2013187554.tif 000025
【図２４】
2013187554.tif 000026
【図２５】
2013187554.tif 000027
【図２６】
2013187554.tif 000028
【図２７】
2013187554.tif 000029